(57)【特許請求の範囲】
【請求項１】
サンプリング周波数ｆでサンプリングされた２つの色差信号を色副搬送波周波数ｆｓｃで直交変調して変調色信号を出力するカラーエンコーダにおいて、
前記色副搬送波周波数ｆｓｃと前記サンプリング周波数ｆの整数比を略ｍ：ｎとすると、
余弦波１周期をｎ等分したｎ個の各値を所定の順序で記憶した第１の記憶手段と、
正弦波１周期をｎ等分したｎ個の各値を所定の順序で記憶した第２の記憶手段と、
該サンプリング周波数ｆに基づいて該第１の記憶手段と該第２の記憶手段の読み出しアドレスを作成する読み出しアドレス作成手段と、
入力された２つの色差信号と該第１と該第２の記憶手段からの出力の積和演算を行う積和演算手段と
を備え、
前記第１の記憶手段がｃｏｓ（（２ｍπ／ｎ）ｘ）で表わされる余弦波についてｘを０からｎ−１まで１ずつ順々に変えて求めた値を対応するアドレスｘに記憶し、
前記第２の記憶手段がｓｉｎ（（２ｍπ／ｎ）ｘ）で表わされる正弦波についてｘを０からｎ−１まで１ずつ順々に変えて求めた値を対応するアドレスｘに記憶し、
前記読み出しアドレス作成手段が、前記サンプリング周波数ｆに従って０からｎ−１まで１ずつ順々に増加する読み出しアドレスを作成する
ことを特徴とするカラーエンコーダ。
【請求項２】
サンプリング周波数ｆでサンプリングされた２つの色差信号を色副搬送波周波数ｆｓｃで直交変調して変調色信号を出力するカラーエンコーダにおいて、
前記色副搬送波周波数ｆｓｃと前記サンプリング周波数ｆの整数比を略ｍ：ｎとすると、
余弦波１周期をｎ等分したｎ個の値の内ｎ／２＋１個（ｎが偶数のとき）または（ｎ−１）／２＋１個（ｎが奇数のとき）の各値を所定の順序で記憶した第１の記憶手段と、
正弦波１周期をｎ等分したｎ個の値の内ｎ／２＋１個（ｎが偶数のとき）または（ｎ−１）／２＋１個（ｎが奇数のとき）の各値を所定の順序で記憶した第２の記憶手段と、
該第２の記憶手段からの出力を反転制御信号に従って正負を反転する正負反転手段と、
該サンプリング周波数ｆに基づいて該第１の記憶手段と該第２の記憶手段の読み出しアドレスと該正負反転手段の正負の反転を指示する反転制御信号を作成する読み出しアドレス作成手段と、
入力された２つの色差信号と該第１の記憶手段の出力と該正負反転手段の出力の積和演算を行う積和演算手段と
を備え、
前記第１の記憶手段がｃｏｓ（（２ｍπ／ｎ）ｘ）で表される余弦波についてｘを０からｎ／２（ｎが偶数のとき）または（ｎ−１）／２（ｎが奇数のとき）まで１ずつ順々に変えて求めた値を対応するアドレスｘに記憶し、
前記第２の記憶手段がｓｉｎ（（２ｍπ／ｎ）ｘ）で表される正弦波についてｘを０からｎ／２（ｎが偶数のとき）または（ｎ−１）／２（ｎが奇数のとき）まで１ずつ順々に変えて求めた値を対応するアドレスｘに記憶し、
前記読み出しアドレス作成手段が、前記サンプリング周波数ｆに従って１ずつ増加しｎ／２（ｎが偶数のとき）または（ｎ−１）／２（ｎが奇数のとき）になると１ずつ減少する読み出しアドレスを作成し、該読み出しアドレスが減少時には前記正負反転手段に正負の反転を指示する反転制御信号を作成する
ことを特徴とするカラーエンコーダ。
【請求項３】
サンプリング周波数ｆでサンプリングされた２つの色差信号を色副搬送波周波数ｆｓｃで直交変調して変調色信号を出力するカラーエンコーダにおいて、
前記色副搬送波周波数ｆｓｃと前記サンプリング周波数ｆの整数比を略ｍ：ｎ（ｎは偶数）とすると、
余弦波１周期をｎ等分したｎ個の値の内ｎ／２個の各値を所定の順序で記憶した第１の記憶手段と、
正弦波１周期をｎ等分したｎ個の値の内ｎ／２個の各値を所定の順序で記憶した第２の記憶手段と、
該第１の記憶手段からの出力を反転制御信号に従って正負を反転する第１の正負反転手段と、
該第２の記憶手段からの出力を反転制御信号に従って正負を反転する第２の正負反転手段と、
該サンプリング周波数ｆに基づいて該第１の記憶手段と該第２の記憶手段の読み出しアドレスと該第１および第２の正負反転手段の正負の反転を指示する反転制御信号を作成する読み出しアドレス作成手段と、
入力された２つの色差信号と該第１および第２の正負反転手段の出力の積和演算を行う積和演算手段とを備え、
前記第１の記憶手段がｃｏｓ（（２ｍπ／ｎ）ｘ）で表される余弦波についてｘを０からｎ／２−１まで１ずつ順々に変えて求めた値を対応するアドレスｘに記憶し、
前記第２の記憶手段がｓｉｎ（（２ｍπ／ｎ）ｘ）で表される正弦波についてｘを０からｎ／２−１まで１ずつ順々に変えて求めた値を対応するアドレスｘに記憶し、
前記読み出しアドレス作成手段が、前記サンプリング周波数ｆに従って０からｎ／２−１まで１ずつ増加する読み出しアドレスを作成し、該読み出しアドレスに基づいて前記正負反転手段に正負の反転を指示する反転制御信号が指示する動作を切り替える
ことを特徴とするカラーエンコーダ。
【請求項４】
サンプリング周波数ｆでサンプリングされた２つの色差信号を色副搬送波周波数ｆｓｃで直交変調して変調色信号を出力するカラーエンコーダにおいて、
前記色副搬送波周波数ｆｓｃと前記サンプリング周波数ｆの整数比を略ｍ：ｎ（ｎは偶数）とすると、
余弦波１周期をｎ等分したｎ個の値の内ｉｎｔ（ｎ／４）＋１個の（ただし、ｉｎｔ（ｘ）はｘを超えない最大の整数）各値を所定の順序で記憶した第１の記憶手段と、
正弦波１周期をｎ等分したｎ個の値の内ｉｎｔ（ｎ／４）＋１個の各値を所定の順序で記憶した第２の記憶手段と、
該第１の記憶手段からの出力を第１の反転制御信号に従って正負を反転する第１の正負反転手段と、
該第２の記憶手段からの出力を第２の反転制御信号に従って正負を反転する第２の正負反転手段と、
該サンプリング周波数ｆに基づいて該第１の記憶手段と該第２の記憶手段の読み出しアドレスと該第１の正負反転手段の正負の反転を指示する第１の反転制御信号と該第２の正負反転手段の正負の反転を指示する第２の反転制御信号を作成する読み出しアドレス作成手段と、
入力された２つの色差信号と該第１および第２の正負反転手段の出力の積和演算を行う積和演算手段とを備え、
前記第１の記憶手段がｃｏｓ（（２ｍπ／ｎ）ｘ）で表される余弦波についてｘを０からｉｎｔ（ｎ／４）−１まで１ずつ順々に変えて求めた値を対応するアドレスｘに記憶し、
前記第２の記憶手段がｓｉｎ（（２ｍπ／ｎ）ｘ）で表される正弦波についてｘを０からｉｎｔ（ｎ／４）−１まで１ずつ順々に変えて求めた値を対応するアドレスｘに記憶し、
前記読み出しアドレス作成手段が、前記サンプリング周波数ｆに従って０からｉｎｔ（ｎ／４）まで１ずつ増加しｉｎｔ（ｎ／４）になると１ずつ減少する読み出しアドレスを作成し、該読み出しアドレスに基づいて前記正負反転手段に正負の反転を指示する反転制御信号が指示する動作を切り替える
ことを特徴とするカラーエンコーダ。
【請求項５】
サンプリング周波数ｆでサンプリングされた２つの色差信号を色副搬送波周波数ｆｓｃで直交変調して変調色信号を出力するカラーエンコーダにおいて、
前記色副搬送波周波数ｆｓｃと前記サンプリング周波数ｆの整数比を略ｍ：ｎ(ｎは４の倍数）とすると、
余弦波または正弦波１周期をｎ等分したｎ個の各値を所定の順序で記憶した記憶手段と、
該サンプリング周波数ｆに基づいて該記憶手段の余弦波用の読み出しアドレスと正弦波用の読み出しアドレスを作成する読み出しアドレス作成手段と、
該余弦波用の読み出しアドレスと該正弦波用の読み出しアドレスを切り替えて、該記憶手段の読み出しアドレスとして出力する第１のスイッチと、
該記憶手段からの出力を該色副搬送波周波数ｆｓｃの余弦波と正弦波の値に振り分ける第２のスイッチと、
入力された２つの色差信号と該第２のスイッチからの余弦波と正弦波の値の積和演算を行う積和演算手段とを備え、
前記記憶手段がｃｏｓ（（２ｍπ／ｎ）ｘ）で表される余弦波についてｘを０からｎ−１まで１ずつ順々に変えて求めた値を対応するアドレスｘに記憶し、
前記読み出しアドレス作成手段が、前記サンプリング周波数ｆに従って０からｎ−１まで１ずつ順に増加する余弦波用と正弦波用の読み出しアドレスをそれぞれ作成し、余弦波用の読み出しアドレスをＣＡｄ、正弦波用の読み出しアドレスをＳＡｄとし、該余弦波用の読み出しアドレスと該正弦波用の読み出しアドレスの関係が０≦ＣＡｄ＜ｎ／４のときはＳＡｄ＝ＣＡｄ＋（３／４）ｎ、ｎ／４≦ＣＡｄ＜ｎのときはＳＡｄ＝ＣＡｄ−ｎ／４である
ことを特徴とするカラーエンコーダ。
【請求項６】
サンプリング周波数ｆでサンプリングされた２つの色差信号を色副搬送波周波数ｆｓｃで直交変調して変調色信号を出力するカラーエンコーダにおいて、
前記色副搬送波周波数ｆｓｃと前記サンプリング周波数ｆの整数比を略ｍ：ｎ(ｎは４の倍数）とすると、
余弦波または正弦波１周期をｎ等分したｎ個の値の内ｎ／２＋１個の各値を所定の順序で記憶した記憶手段と、
該サンプリング周波数ｆに基づいて余弦波用の読み出しアドレスと正弦波用の読み出しアドレスを作成し、該サンプリング周波数ｆの倍の周波数で交互に多重して出力する読み出しアドレス作成手段と、
該記憶手段からの出力を該色副搬送波周波数ｆｓｃの余弦波と正弦波の値に振り分けるスイッチと、
入力された２つの色差信号と該スイッチからの余弦波と正弦波の値の積和演算を行う積和演算手段とを備え、
前記記憶手段がｃｏｓ（（２ｍπ／ｎ）ｘ）で表される余弦波についてｘを０からｎ／２まで１ずつ順々に変えて求めた値を対応するアドレスｘに記憶し、
前記読み出しアドレス作成手段が、前記サンプリング周波数ｆに従って０からｎ／２まで１ずつ順に増加し、ｎ／２になると１ずつ順に減少する余弦波用と正弦波用の読み出しアドレスをそれぞれ作成し、該余弦波用の読み出しアドレスをＣＡｄ、該正弦波用の読み出しアドレスをＳＡｄとすると、
該余弦波用の読み出しアドレスが増加し０≦ＣＡｄ＜ｎ／４のときはＳＡｄ＝ｎ／４−ＣＡｄ、ｎ／４≦ＣＡｄ＜ｎ／２のときはＳＡｄ＝ＣＡｄ−ｎ／４となり、該余弦波用の読み出しアドレスが減少しｎ／４＜ＣＡｄ≦ｎ／２のときはＳＡｄ＝（３／４）ｎ−ＣＡｄとなり、０＜ＣＡｄ≦ｎ／４のときＳＡｄ＝ＣＡｄ＋ｎ／４となる関係が該余弦波用の読み出しアドレスと該正弦波用の読み出しアドレスにある
ことを特徴とするカラーエンコーダ。
【請求項７】
サンプリング周波数ｆでサンプリングされた２つの色差信号を色副搬送波周波数ｆｓｃで直交変調して変調色信号を出力するカラーエンコーダにおいて、
前記色副搬送波周波数ｆｓｃと前記サンプリング周波数ｆの整数比を略ｍ：ｎ(ｎは４の倍数）とすると、
余弦波または正弦波１周期をｎ等分したｎ個の値の内ｎ／２個の各値を所定の順序で記憶した記憶手段と、
該記憶手段からの出力を該色副搬送波周波数ｆｓｃの余弦波と正弦波の値に振り分けるスイッチと、
該スイッチからのそれぞれの出力を反転制御信号に従って正負を反転する第１および第２の正負反転手段と、
該サンプリング周波数ｆに基づいて余弦波用の読み出しアドレスと正弦波用の読み出しアドレスを作成し、該サンプリング周波数ｆの倍の周波数で交互に多重した読み出しアドレスと該第１および第２の正負反転手段の正負の反転を指示する反転制御信号を出力する読み出しアドレス作成手段と、
入力された２つの色差信号と該第１の正負反転手段からの余弦波の値と該第２の正負反転手段からの正弦波の値の積和演算を行う積和演算手段とを備え、
前記記憶手段がｓｉｎ（（２ｍπ／ｎ）ｘ）で表される余弦波についてｘを０からｎ／２まで１ずつ順々に変えて求めた値を対応するアドレスｘに記憶し、
前記読み出しアドレス作成手段が、前記サンプリング周波数ｆに従って０からｎ／２−１まで１ずつ増加する余弦波用と正弦波用の読み出しアドレスを作成し、該余弦波用と正弦波用の読み出しアドレスに基づいて前記正負反転手段に正負の反転を指示する反転制御信号を作成し、該余弦波用の読み出しアドレスをＣＡｄ、該正弦波用の読み出しアドレスをＳＡｄとすると、
該余弦波用の読み出しアドレスが０≦ＳＡｄ≦ｎ／４のときはＣＡｄ＝ＳＡｄ＋ｎ／４、ｎ／４≦ＳＡｄ≦ｎ／２のときはＣＡｄ＝ＳＡｄ−ｎ／４となる関係が該余弦波用の読み出しアドレスと該正弦波用の読み出しアドレスにある
ことを特徴とするカラーエンコーダ。
【請求項８】
サンプリング周波数ｆでサンプリングされた２つの色差信号を色副搬送波周波数ｆｓｃで直交変調して変調色信号を出力するカラーエンコーダにおいて、
前記色副搬送波周波数ｆｓｃと前記サンプリング周波数ｆの整数比を略ｍ：ｎ(ｎは４の倍数）とすると、
余弦波または正弦波１周期をｎ等分したｎ個の値の内ｎ／４個の各値を所定の順序で記憶した記憶手段と、
該記憶手段からの出力を該色副搬送波周波数ｆｓｃの余弦波と正弦波の値に振り分けるスイッチと、
該スイッチからの余弦波の値の出力を第１の反転制御信号に従って正負を反転する第１の正負反転手段と、
該スイッチからの正弦波の値の出力を第２の反転制御信号に従って正負を反転する第２の正負反転手段と、
該サンプリング周波数ｆに基づいて余弦波用の読み出しアドレスと正弦波用の読み出しアドレスを作成し、該サンプリング周波数ｆの倍の周波数で交互に多重した読み出しアドレスと該第１の正負反転手段の正負の反転を指示する第１の反転制御信号と該第２の正負反転手段の正負の反転を指示する第２の反転制御信号を出力する読み出しアドレス作成手段と、
入力された２つの色差信号と該第１の正負反転手段からの余弦波の値と該第２の正負反転手段からの正弦波の値の積和演算を行う積和演算手段とを備え、
前記記憶手段がｃｏｓ（（２ｍπ／ｎ）ｘ）で表される余弦波についてｘを０からｎ／４−１まで１ずつ順々に変えて求めた値を対応するアドレスｘに記憶し、
前記読み出しアドレス作成手段が、前記サンプリング周波数ｆに従って０からｎ／４−１まで１ずつ増加し、ｎ／４−１になると１ずつ減少するような余弦波用と正弦波用の読み出しアドレスを作成し、該余弦波用と正弦波用の読み出しアドレスに基づいて前記正負反転手段が正負の反転を指示する第１および第２の反転制御信号を作成し、該余弦波用の読み出しアドレスをＣＡｄ、該正弦波用の読み出しアドレスをＳＡｄとすると、
ＳＡｄ＝ｎ／４−ＣＡｄとなる関係が該余弦波用の読み出しアドレスと該正弦波用の読み出しアドレスにある
ことを特徴とするカラーエンコーダ。
【請求項９】
サンプリング周波数ｆでサンプリングされた２つの色差信号を色副搬送波周波数ｆｓｃで直交変調して変調色信号を出力するカラーエンコーダにおいて、
前記色副搬送波周波数ｆｓｃと前記サンプリング周波数ｆの整数比を略ｍ：ｎ(ｎは４の倍数）とすると、
余弦波または正弦波１周期をｎ等分したｎ個の値の内ｎ／４個の各値を所定の順序で記憶した記憶手段と、
該記憶手段からの出力を該色副搬送波周波数ｆｓｃの余弦波と正弦波の値に振り分けるスイッチと、
該スイッチからの余弦波の値の出力を第１の反転制御信号に従って正負を反転する第１の正負反転手段と、
該スイッチからの正弦波の値の出力を第２の反転制御信号に従って正負を反転する第２の正負反転手段と、
該サンプリング周波数ｆに基づいて余弦波用の読み出しアドレスと正弦波用の読み出しアドレスを作成し、該サンプリング周波数ｆの倍の周波数で交互に多重した読み出しアドレスと該第１の正負反転手段の正負の反転を指示する第１の反転制御信号と該第２の正負反転手段の正負の反転を指示する第２の反転制御信号を出力する読み出しアドレス作成手段と、
入力された２つの色差信号と該第１の正負反転手段からの余弦波の値と該第２の正負反転手段からの正弦波の値の積和演算を行う積和演算手段とを備え、
前記記憶手段がｓｉｎ（（２ｍπ／ｎ）ｘ）で表される余弦波についてｘを０からｎ／４−１まで１ずつ順々に変えて求めた値を対応するアドレスｘに記憶し、
前記読み出しアドレス作成手段が、前記サンプリング周波数ｆに従って０からｎ／４−１まで１ずつ増加し、ｎ／４−１になると１ずつ減少するような余弦波用と正弦波用の読み出しアドレスを作成し、該余弦波用と正弦波用の読み出しアドレスに基づいて前記正負反転手段に正負の反転を指示する第１および第２の反転制御信号を作成し、該余弦波用の読み出しアドレスをＣＡｄ、該正弦波用の読み出しアドレスをＳＡｄとすると、
ＣＡｄ＝ｎ／４−ＳＡｄとなる関係が該余弦波用の読み出しアドレスと該正弦波用の読み出しアドレスにある
ことを特徴とするカラーエンコーダ。
【請求項１０】
該変調色信号を含む映像信号の同期信号に基づいてリセット信号を作成するリセット信号作成手段と、
前記読み出しアドレス作成手段が該リセット信号に従って読み出しアドレスを任意の値にリセットし、該サンプリング周波数ｆに基づいて該読み出しアドレスを作成することを特徴とする請求項１ないし９のいずれかに記載のカラーエンコーダ。
【発明の詳細な説明】
【０００１】
【産業上の利用分野】
本発明は２つの色差信号を直交変調して変調色信号を出力するカラーエンコーダ、特にディジタル化された２つの色差信号をディジタル的に直交変調してディジタル変調色信号を得るカラーエンコーダに関する。
【０００２】
【従来の技術】
ディジタル的に２つの色差信号を直交変調して変調色信号を出力するカラーエンコーダが、テレビジョン学会参考書シリーズ６．テレビ信号のディジタル回路、ｐｐ．７２〜７４、″４．６．１  ＮＴＳＣ信号における色信号の変復調″に記載されている。
【０００３】
図２０に前記文献で記載するカラーエンコーダのブロック構成図を示す。ここで、２つの色差信号をＣｒ＝（Ｒ−Ｙ）／１．１４、Ｃｂ＝（Ｂ−Ｙ）／２．０３とし、色副搬送波でサンプリングされているとする。図２０において、１０１はＣｒ信号を反転するインバータ、１０２はＣｂ信号を反転するインバータ、１０３は色副搬送波の４倍の周波数で切り替わるスイッチである。
【０００４】
次に、図２０に示すカラーエンコーダの動作を説明する。入力Ｃｒ、Ｃｂ信号は色副搬送波でサンプリングされ、図２０では図示していないＡ／Ｄ変換器によりディジタル化された後、カラーエンコーダに入力する。ディジタル化されたＣｒ信号はインバータ１０１で反転して−Ｃｒ信号となり、ディジタル化されたＣｂ信号はインバータ１０２で反転して−Ｃｂ信号となる。スイッチ１０３では４ｆｓｃ（ｆｓｃは色副搬送波周波数）毎に切り替え、図２１に示すようにＣｒ，Ｃｂ，−Ｃｒ，−Ｃｂの順に選択し変調色信号を得る。
【０００５】
【発明が解決しようとする課題】
従来のカラーエンコーダは以上のように構成されており、色差信号Ｃｒ、Ｃｂが色副搬送波周波数の整数倍でサンプリングされた場合だけしか変調色信号を得ることができないという問題点があった。
【０００６】
この発明は以上のような問題点を解決するためになされたもので、色差信号Ｃｒ、Ｃｂが色副搬送波周波数の整数倍以外でサンプリングされた場合でも変調色信号を作成することができるカラーエンコーダを得ることを目的とする。
【０００７】
【課題を解決するための手段】
請求項１の発明では、２つの色差信号の色副搬送波周波数とサンプリング周波数の整数比を略ｍ：ｎとし、余弦関数および正弦関数１周期をｎ等分した各値をそれぞれ記憶した第１および第２の記憶手段と、
サンプリング周波数に基づいて読み出しアドレスを作成する読み出しアドレス作成手段と、
２つの色差信号と第１および第２の記憶手段から読み出された余弦および正弦関数の値とを積和演算を行う積和演算手段とから構成されている。
【０００８】
さらに、ｘを０からｎ−１まで変えてｃｏｓ（（２ｍπ／ｎ）ｘ）の値とｓｉｎ（（２ｍπ／ｎ）ｘ）の値を求め、この余弦波と正弦波の値をｘに対応するアドレスに記憶した第１および第２の記憶手段と、
１ずつ増加する読み出しアドレスを作成する読み出しアドレス作成手段とを設けたものである。
【０００９】
請求項２の発明は余弦関数および正弦関数１周期をｎ等分したｎ個の値の内ｎ／２＋１個（ｎが偶数のとき）または（ｎ−１）／２＋１個（ｎが奇数のとき）の各値をそれぞれ記憶した第１および第２の記憶手段と、
第２の記憶手段の出力を反転制御信号に従って正負を反転する正負反転手段と、
サンプリング周波数に基づいて読み出しアドレスと反転制御信号を作成する読み出しアドレス作成手段と、
２つの色差信号と記憶手段から読み出された余弦および正弦関数の値とを積和演算を行う積和演算手段とから構成されている。
【００１０】
さらに、ｘを０からｎ／２（ｎが偶数のとき）または（ｎ−１）／２（ｎが奇数のとき）まで変えてｃｏｓ（（２ｍπ／ｎ）ｘ）の値とｓｉｎ（（２ｍπ／ｎ）ｘ）の値を求め、この余弦波と正弦波の値をｘに対応するアドレスに記憶した第１および第２の記憶手段と、
０からｎ／２（ｎが偶数のとき）または（ｎ−１）／２（ｎが奇数のとき）まで１ずつ増加し、ｎ／２（ｎが偶数のとき）または（ｎ−１）／２（ｎが奇数のとき）になると１ずつ減少する読み出しアドレスと反転制御信号を作成する読み出しアドレス作成手段とを設けたものである。
【００１１】
請求項３の発明は余弦関数および正弦関数１周期をｎ等分したｎ個の値の内ｎ／２個の各値をそれぞれ記憶した第１および第２の記憶手段と、
第１および第２の記憶手段の出力を反転制御信号に従ってそれぞれ正負を反転する第１および第２の正負反転手段と、
サンプリング周波数に基づいて読み出しアドレスと反転制御信号を作成する読み出しアドレス作成手段と、
２つの色差信号と記憶手段から読み出された余弦および正弦関数の値とを積和演算を行う積和演算手段とから構成されている。
【００１２】
さらに、ｘを０からｎ／２−１まで変えてｃｏｓ（（２ｍπ／ｎ）ｘ）の値とｓｉｎ（（２ｍπ／ｎ）ｘ）の値を求め、この余弦波と正弦波の値をｘに対応するアドレスに記憶した第１および第２の記憶手段と、
０からｎ／２−１まで１ずつ増加する読み出しアドレスと反転制御信号を作成する読み出しアドレス作成手段とを設けたものである。
【００１３】
請求項４の発明は余弦関数および正弦関数１周期をｎ等分したｎ個の値の内ｉｎｔ（ｎ／４）＋１個の各値をそれぞれ記憶した第１および第２の記憶手段と、
第１の記憶手段の出力を第１の反転制御信号に従って正負を反転する第１の正負反転手段と、
第２の記憶手段の出力を第２の反転制御信号に従って正負を反転する第２の正負反転手段と、
サンプリング周波数に基づいて読み出しアドレスと反転制御信号を作成する読み出しアドレス作成手段と、
２つの色差信号と記憶手段から読み出された余弦および正弦関数の値とを積和演算を行う積和演算手段とから構成されている。
【００１４】
さらに、ｘを０からｉｎｔ（ｎ／４）−１まで変えてｃｏｓ（（２ｍπ／ｎ）ｘ）の値とｓｉｎ（（２ｍπ／ｎ）ｘ）の値を求め、この余弦波と正弦波の値をｘに対応するアドレスに記憶した第１および第２の記憶手段と、
０からｉｎｔ（ｎ／４）−１まで１ずつ増加し、ｉｎｔ（ｎ／４）−１になると１ずつ減少する読み出しアドレスと反転制御信号を作成する読み出しアドレス作成手段とを設けたものである。
【００１５】
請求項５の発明は余弦関数または正弦関数１周期をｎ等分したｎ個の値を記憶した記憶手段と、
サンプリング周波数に基づいて余弦波用と正弦波用の読み出しアドレスを作成する読み出しアドレス作成手段と、
余弦波用と正弦波用の読み出しアドレスを切り替える第１のスイッチと、
記憶手段からの出力を余弦波の値と正弦波の値に振り分ける第２のスイッチと、
２つの色差信号と第２のスイッチからの余弦波および正弦波の値とを積和演算を行なう積和演算手段とから構成されている。
【００１６】
さらに、ｘを０からｎ−１まで変えて求めたｃｏｓ（（２ｍπ／ｎ）ｘ）の値をｘに対応するアドレスに記憶した記憶手段と、
０からｎ−１まで１ずつ順に増加する余弦波用と正弦波用のアドレスの間に余弦波用の読み出しアドレスをＣＡｄ、正弦波用の読み出しアドレスをＳＡｄとし、０≦ＣＡｄ＜ｎ／４のときはＳＡｄ＝ＣＡｄ＋（３／４）ｎ、ｎ／４≦ＣＡｄ＜ｎのときはＳＡｄ＝ＣＡｄ−ｎ／４なる関係があるアドレスを作成する読み出しアドレス作成手段とを設けたものである。
【００１８】
請求項６の発明は余弦関数または正弦関数１周期をｎ等分したｎ個の値の内ｎ／２＋１個の値を記憶した記憶手段と、
サンプリング周波数に基づいて余弦波用と正弦波用の読み出しアドレスを作成し、交互に多重して出力する読み出しアドレス作成手段と、
記憶手段からの出力を余弦波の値と正弦波の値に振り分けるスイッチと、
２つの色差信号とスイッチからの余弦波および正弦波の値とを積和演算を行なう積和演算手段とから構成されている。
【００１９】
さらに、ｘを０からｎ／２まで変えて求めたｃｏｓ（（２ｍπ／ｎ）ｘ）の値をｘに対応するアドレスに記憶した記憶手段と、
０からｎ／２まで１ずつ順に増加し、ｎ／２になると１ずつ順に減少する余弦波用と正弦波用のアドレスの間に余弦波用の読み出しアドレスをＣＡｄ、正弦波用の読み出しアドレスをＳＡｄとし、余弦波用の読み出しアドレスが増加し０≦ＣＡｄ＜ｎ／４のときはＳＡｄ＝ｎ／４−ＣＡｄ、ｎ／４≦ＣＡｄ＜ｎ／２のときはＳＡｄ＝ＣＡｄ−ｎ／４となり、余弦波用の読み出しアドレスが減少しｎ／４＜ＣＡｄ≦ｎ／２のときはＳＡｄ＝（３／４）ｎ−ＣＡｄとなり、０＜ＣＡｄ≦ｎ／４のときＳＡｄ＝ＣＡｄ＋ｎ／４なる関係があるアドレスを作成する読み出しアドレス作成手段とを設けたものである。
【００２０】
請求項７の発明は余弦関数または正弦関数１周期をｎ等分した値の内ｎ／２個の値を記憶した記憶手段と、
記憶手段からの出力を余弦波の値と正弦波の値に振り分けるスイッチと、
スイッチからのそれぞれの出力を反転制御信号に従って正負を反転する第１および第２の正負反転手段と、
サンプリング周波数に基づいて余弦波用と正弦波用の読み出しアドレスと反転制御信号を作成する読み出しアドレス作成手段とを設けたものである。
【００２２】
さらに、ｘを０からｎ／２−１まで変えて求めたｓｉｎ（（２ｍπ／ｎ）ｘ）の値をｘに対応するアドレスに記憶した記憶手段と、
０からｎ／２−１まで１ずつ順に増加する余弦波用と正弦波用のアドレスの間に余弦波用の読み出しアドレスをＣＡｄ、正弦波用の読み出しアドレスをＳＡｄとし、０≦ＳＡｄ＜ｎ／４のときはＣＡｄ＝ＳＡｄ＋ｎ／４、ｎ／４≦ＳＡｄ≦ｎ／２のときはＣＡｄ＝ＳＡｄ−ｎ／４となる関係があるアドレスを作成する読み出しアドレス作成手段とを設けたものである。
【００２３】
請求項８の発明は余弦関数または正弦関数１周期をｎ等分した値の内ｎ／４個の値を記憶した記憶手段と、
記憶手段からの出力を余弦波の値と正弦波の値に振り分けるスイッチと、
スイッチからのそれぞれの出力を第１および第２の反転制御信号に従って正負を反転する第１および第２の正負反転手段と、
サンプリング周波数に基づいて余弦波用と正弦波用の読み出しアドレスと第１および第２の反転制御信号を作成する読み出しアドレス作成手段とを設けたものである。
【００２４】
さらに、ｘを０からｎ／４−１まで変えて求めたｃｏｓ（（２ｍπ／ｎ）ｘ）の値をｘに対応するアドレスに記憶した記憶手段と、
０からｎ／４−１まで１ずつ順に増加し、ｎ／４−１になると１ずつ順に減少する余弦波用と正弦波用のアドレスの間に余弦波用の読み出しアドレスをＣＡｄ、正弦波用の読み出しアドレスをＳＡｄとし、ＳＡｄ＝ｎ／４−ＣＡｄとなる関係があるアドレスを作成する読み出しアドレス作成手段とを設けたものである。
【００２５】
請求項９の発明は余弦関数または正弦関数１周期をｎ等分した値の内ｎ／４個の値を記憶した記憶手段と、
記憶手段からの出力を余弦波の値と正弦波の値に振り分けるスイッチと、
スイッチからのそれぞれの出力を第１および第２の反転制御信号に従って正負を反転する第１および第２の正負反転手段と、
サンプリング周波数に基づいて余弦波用と正弦波用の読み出しアドレスと第１および第２の反転制御信号を作成する読み出しアドレス作成手段とを設けたものである。
さらに、ｘを０からｎ／４−１まで変えて求めたｓｉｎ（（２ｍπ／ｎ）ｘ）の値をｘに対応するアドレスに記憶した記憶手段と、
０からｎ／４−１まで１ずつ順に増加し、ｎ／４−１になると１ずつ順に減少する余弦波用と正弦波用のアドレスの間に余弦波用の読み出しアドレスをＣＡｄ、正弦波用の読み出しアドレスをＳＡｄとし、ＣＡｄ＝ｎ／４−ＳＡｄとなる関係があるアドレスを作成する読み出しアドレス作成手段とを設けたものである。
【００２６】
請求項１０の発明は映像信号の同期信号に基づいてリセット信号を作成するリセット信号作成手段と、
リセット信号に従って読み出しアドレスをある特定の値にリセットしサンプリング・クロックに基づいて読み出しアドレスを作成する読み出しアドレス作成手段とを設けたものである。
【００２７】
【作用】
請求項１の発明におけるカラーエンコーダは、２つの色差信号のサンプリング周波数と色副搬送波周波数が整数倍でない色差信号を変調するカラーエンコーダは、色副搬送波周波数とサンプリング周波数の整数比が略ｍ：ｎのとき余弦関数および正弦関数１周期をｎ等分した値をそれぞれ記憶した記憶手段から読み出しアドレス作成手段により余弦関数および正弦関数の値を読み出し、積和演算手段で２つの色差信号と記憶手段からの余弦関数および正弦関数の値を積和演算し変調色信号を得る。
【００２８】
さらに、ｃｏｓ（（２ｍπ／ｎ）ｘ）についてｘを０からｎ−１まで変えて求めた値を記憶した第１の記憶手段とｓｉｎ（（２ｍπ／ｎ）ｘ）についてｘを０からｎ−１まで変えて求めた値を記憶した第２の記憶手段から読み出しアドレス作成手段により作成した１ずつ増加する読み出しアドレスに従って余弦関数および正弦関数の値を読み出す。
【００２９】
請求項２の発明におけるカラーエンコーダは、余弦関数および正弦関数１周期をｎ等分した各値の内ｎ／２＋１個（ｎが偶数のとき）または（ｎ−１）／２＋１個（ｎが奇数のとき）の各値をそれぞれ記憶した第１および第２の記憶手段から読み出しアドレス作成手段により余弦関数および正弦関数の値を読み出し、正弦関数の値を読み出しアドレス作成手段により作成した反転制御信号に従って正負反転手段により正負を反転し、積和演算手段で２つの色差信号と第１の記憶手段からの余弦関数の値と正負反転手段からの正弦関数の値を積和演算し変調色信号を得る。
【００３０】
さらに、ｃｏｓ（（２ｍπ／ｎ）ｘ）についてｘを０からｎ／２（ｎが偶数のとき）または（ｎ−１）／２（ｎが奇数のとき）まで変えて求めた値を記憶した第１の記憶手段とｓｉｎ（（２ｍπ／ｎ）ｘ）についてｘを０からｎ／２（ｎが偶数のとき）または（ｎ−１）／２（ｎが奇数のとき）まで変えて求めた値を記憶した第２の記憶手段から読み出しアドレス作成手段により作成した０からｎ／２（ｎが偶数のとき）または（ｎ−１）／２（ｎが奇数のとき）まで１ずつ増加し、ｎ／２（ｎが偶数のとき）または（ｎ−１）／２（ｎが奇数のとき）になると１ずつ減少する読み出しアドレスに従って余弦関数および正弦関数の値を読み出す。
【００３１】
請求項３の発明におけるカラーエンコーダは、余弦関数および正弦関数１周期をｎ等分した各値の内ｎ／２個の各値をそれぞれ記憶した第１および第２の記憶手段から読み出しアドレス作成手段により余弦関数および正弦関数の値を読み出し、読み出しアドレス作成手段により作成した反転制御信号に従って第１および第２の正負反転手段により正負を反転し、積和演算手段で２つの色差信号と第１および第２の正負反転手段の出力を積和演算し変調色信号を得る。
【００３２】
さらに、ｃｏｓ（（２ｍπ／ｎ）ｘ）についてｘを０からｎ／２−１まで変えて求めた値を記憶した第１の記憶手段とｓｉｎ（（２ｍπ／ｎ）ｘ）についてｘを０からｎ／２−１まで変えて求めた値を記憶した第２の記憶手段から読み出しアドレス作成手段により作成した０からｎ／２−１まで１ずつ増加する読み出しアドレスに従って余弦関数および正弦関数の値を読み出す。
【００３３】
請求項４の発明におけるカラーエンコーダは、余弦関数および正弦関数１周期をｎ等分した各値の内ｉｎｔ（ｎ／４）個の各値をそれぞれ記憶した第１および第２の記憶手段から読み出しアドレス作成手段により余弦関数および正弦関数の値を読み出し、読み出しアドレス作成手段により作成した反転制御信号に従って第１および第２の正負反転手段により正負を反転し、積和演算手段で２つの色差信号と第１および第２の正負反転手段の出力を積和演算し変調色信号を得る。
【００３４】
さらに、ｃｏｓ（（２ｍπ／ｎ）ｘ）についてｘを０からｉｎｔ（ｎ／４）−１まで変えて求めた値を記憶した第１の記憶手段とｓｉｎ（（２ｍπ／ｎ）ｘ）についてｘを０からｉｎｔ（ｎ／４）−１まで変えて求めた値を記憶した第２の記憶手段から読み出しアドレス作成手段により作成した０からｉｎｔ（ｎ／４）−１まで１ずつ増加し、ｉｎｔ（ｎ／４）−１になると１ずつ減少する読み出しアドレスに従って余弦関数および正弦関数の値を読み出す。
【００３５】
請求項５の発明におけるカラーエンコーダは、余弦関数または正弦関数１周期をｎ等分した各値を記憶した記憶手段から読み出しアドレス作成手段により作成した余弦波用および正弦波用のアドレスを第１のスイッチにより多重した読み出しアドレスに従って、余弦関数と正弦関数の値を読み出し、第２のスイッチによりそれぞれ振り分け、積和演算手段で２つの色差信号と第２のスイッチのそれぞれの出力を積和演算し変調色信号を得る。
【００３６】
さらに、ｃｏｓ（（２ｍπ／ｎ）ｘ）についてｘを０からｎ−１まで変えて求めた値を記憶した記憶手段から読み出しアドレス作成手段により作成した０からｎ−１まで１ずつ増加する余弦波用および正弦波用のアドレスに従って余弦関数と正弦関数の値を読み出す。
【００３８】
請求項６の発明におけるカラーエンコーダは、余弦関数または正弦関数１周期をｎ等分した各値の内ｎ／２＋１個の値を記憶した記憶手段から読み出しアドレス作成手段により作成した余弦波用および正弦波用のアドレスを多重した読み出しアドレスに従って、余弦関数と正弦関数の値を読み出し、第２のスイッチによりそれぞれ振り分け、積和演算手段で２つの色差信号と第２のスイッチのそれぞれの出力を積和演算し変調色信号を得る。
【００３９】
さらに、ｃｏｓ（（２ｍπ／ｎ）ｘ）についてｘを０からｎ／２まで変えて求めた値を記憶した記憶手段から読み出しアドレス作成手段により作成した０からｎ／２まで１ずつ順に増加し、ｎ／２になると１ずつ順に減少する余弦波用と正弦波用のアドレスに従って余弦関数と正弦関数の値を読み出す。
【００４０】
請求項７の発明におけるカラーエンコーダは、余弦関数または正弦関数１周期をｎ等分した各値の内ｎ／２個の値を記憶した記憶手段から読み出しアドレス作成手段により作成した余弦波用および正弦波用のアドレスを多重した読み出しアドレスに従って、余弦関数と正弦関数の値を読み出し、第２のスイッチによりそれぞれ振り分け、読み出しアドレス作成手段により作成した反転制御信号に従って第１および第２の正負反転手段により正負を反転し、積和演算手段で２つの色差信号と第１および第２の正負反転手段の出力を積和演算し変調色信号を得る。
【００４２】
さらに、ｓｉｎ（（２ｍπ／ｎ）ｘ）についてｘを０からｎ／２−１まで変えて求めた値を記憶した記憶手段から読み出しアドレス作成手段により作成した０からｎ／２まで１ずつ順に増加する余弦波用と正弦波用のアドレスに従って余弦関数と正弦関数の値を読み出す。
【００４３】
請求項８の発明におけるカラーエンコーダは、余弦関数または正弦関数１周期をｎ等分した各値の内ｎ／４個の値を記憶した記憶手段から読み出しアドレス作成手段により作成した余弦波用および正弦波用のアドレスを多重した読み出しアドレスに従って、余弦関数と正弦関数の値を読み出し、第２のスイッチによりそれぞれ振り分け、読み出しアドレス作成手段により作成した第１および第２の反転制御信号に従って第１および第２の正負反転手段により正負を反転し、積和演算手段で２つの色差信号と第１および第２の正負反転手段の出力を積和演算し変調色信号を得る。
【００４４】
さらに、ｃｏｓ（（２ｍπ／ｎ）ｘ）についてｘを０からｎ／４−１まで変えて求めた値を記憶した記憶手段から読み出しアドレス作成手段により作成した０からｎ／４−１まで１ずつ順に増加し、ｎ／４−１になると１ずつ順に減少する余弦波用と正弦波用のアドレスに従って余弦関数と正弦関数の値を読み出す。
【００４５】
請求項９の発明におけるカラーエンコーダは、余弦関数または正弦関数１周期をｎ等分した各値の内ｎ／４個の値を記憶した記憶手段から読み出しアドレス作成手段により作成した余弦波用および正弦波用のアドレスを多重した読み出しアドレスに従って、余弦関数と正弦関数の値を読み出し、第２のスイッチによりそれぞれ振り分け、読み出しアドレス作成手段により作成した第１および第２の反転制御信号に従って第１および第２の正負反転手段により正負を反転し、積和演算手段で２つの色差信号と第１および第２の正負反転手段の出力を積和演算し変調色信号を得る。
さらに、ｓｉｎ（（２ｍπ／ｎ）ｘ）についてｘを０からｎ／４−１まで変えて求めた値を記憶した記憶手段から読み出しアドレス作成手段により作成した０からｎ／４−１まで１ずつ順に増加し、ｎ／４−１になると１ずつ順に減少する余弦波用と正弦波用のアドレスに従って余弦関数と正弦関数の値を読み出す。
【００４６】
請求項１０の発明におけるカラーエンコーダは、同期信号に基づいてリセット信号作成手段により作成したリセット信号に従って読み出しアドレスをリセットした後、読み出しアドレス作成手段により読み出しアドレスを作成する。
【００４７】
【実施例】
実施例１．
以下、この発明の一実施例についてその構成を示す図１を用いて説明する。１は余弦関数の値を記憶したｃｏｓ用ＲＯＭ、２は正弦関数の値を記憶したｓｉｎ用ＲＯＭ、３はＲＯＭの読み出しアドレスを作成するアドレス作成手段、４は積和演算を行う積和演算器である。このときの色副搬送波周波数を３．５７９５ＭＨｚ、色差信号のサンプリング周波数を２０．２５ＭＨｚとすると、色副搬送波周波数とサンプリング周波数の整数比は略３５：１９８となる。このような関係のサンプリング周波数から色副搬送波の余弦波および正弦波の求め方を以下に示す。
【００４８】
余弦波１周期をＮ等分したＲＯＭテーブルを周波数ｆで読み出せば、ｆ／Ｎの周波数の余弦波が得られる。ＲＯＭテーブルを１つおきに読み出せば、ｆ×２／Ｎの周波数の余弦波が得られ、Ｍ−１おきに（即ちＭ個に１度ずつ）読みだせば、ｆ×Ｍ／Ｎの周波数の余弦波が得られる。従って、色副搬送波周波数とサンプリング周波数の比は略３５：１９８であるから、Ｎ＝１９８、Ｍ＝３５として余弦波１周期を１９８等分した各値を記憶したＲＯＭテーブルを３４おきにサンプリング周波数で読み出せば色副搬送波の余弦関数が得られる。また、色副搬送波の正弦関数も同様にして得ることができる。ｃｏｓ用ＲＯＭ１には余弦波１周期を１９８等分した各値をｓｉｎ用ＲＯＭ２には正弦波１周期を１９８等分した各値を記憶する。このときの各ＲＯＭテーブルを表Ａ１および表Ａ２に示す。ここで、入力色差信号がＣｒ、Ｃｂ信号であり、色差信号と色副搬送波の余弦、正弦関数の積和演算の結果が１を超えないようにするために、ＲＯＭテーブルの各値には０．９７３と０．６８５を掛けてある。
【００４９】
【表１】
0003611362.tif 000002
【００５０】
【表２】
0003611362.tif 000003
【００５１】
次に動作について説明する。読み出しアドレス作成手段３はサンプリング周波数に従って３５づつ増加する読み出しアドレスを作成する。ただし、１９８を超えるアドレスは１９８で割った余りを読み出しアドレスとして出力する。ｃｏｓ用ＲＯＭ１から読み出しアドレスに基づいて上記に示したように色副搬送波の余弦波の値を読み出す。また、色副搬送波の正弦波も同様にしてｓｉｎ用ＲＯＭ２から読み出す。積和演算器４ではｃｏｓ用ＲＯＭ１から読み出した値と入力Ｃｒ信号の値を掛算をして得た値とｓｉｎ用ＲＯＭ２から読み出した値と入力Ｃｂ信号の値を掛算をして得た値とをそれぞれ求めた後、２つの積の値を足し合わせ、変調色信号を作成する。このようにカラーエンコーダを構成したので、色副搬送波の周波数と色差信号のサンプリング周波数の関係が整数倍でない場合でも変調色信号を作成することができる。
【００５２】
前記実施例では色副搬送波周波数が３．５７９５ＭＨｚ、サンプリング周波数が２０．２５ＭＨｚの場合について説明したが、この例以外にも、サンプリング周波数はどのような値であってもよく、色副搬送波周波数とサンプリング周波数の整数比が略Ｍ：Ｎとなるとき余弦波、正弦波１周期をＮ等分した値をそれぞれＲＯＭに記憶し、Ｍ−１個おきに読み出すように構成すれば、前記実施例と同様の効果が得られる。
【００５３】
実施例２．
前記実施例では余弦、正弦波１周期を１９８等分した値をｃｏｓ用ＲＯＭ１、ｓｉｎ用ＲＯＭ２に記憶し、３４おきに読み出した例について説明した。この例以外にも、余弦、正弦波１周期を１９８等分した値を前記実施例で読み出す順番に並べ変えてｃｏｓ用ＲＯＭ１、ｓｉｎ用ＲＯＭ２に記憶しても同様の効果が得られる。このときのＲＯＭテーブルの求め方を以下に示す。余弦波１周期を１９８等分した各値を求める式は
ｆｃ（ｘ）＝ｃｏｓ（（２π／１９８）ｘ）            ．．．（１）
となる。３４おきに読み出すのであるからｙを０から１９７（＝Ｎ−１）まで１づつ変えたときのｘは
ｘ＝３５ｙ  ｍｏｄ  １９８                    ．．．（２）
となり、式（１）に代入すると、
ｆｃ（ｙ）＝ｃｏｓ（（２・３５π／１９８）ｙ）          ．．．（３）
となる。また、正弦波も同様にして、
ｆｓ（ｙ）＝ｓｉｎ（（２・３５π／１９８）ｙ）          ．．．（４）
となる。従って、アドレスｙを０から１９７まで１ずつ順々に変えて式（３）、（４）からｆｃ（ｙ）、ｆｓ（ｙ）を求めれば、前記実施例で読み出す順番に並べ変えられた余弦、正弦波のＲＯＭテーブルが求められる。そのときのｃｏｓ用ＲＯＭ１、ｓｉｎ用ＲＯＭ２の内容を表Ａ３および表Ａ４に示す。ここで、ＲＯＭテーブルの各値には前記実施例１と同様に余弦波には０．９７３が、正弦波には０．６８５が掛けてある。
【００５４】
【表３】
0003611362.tif 000004
【００５５】
【表４】
0003611362.tif 000005
【００５６】
次に図１を用いて動作について説明する。読み出しアドレス作成手段３はサンプリング周波数に従って０から１９７まで１ずつ順に増加する読み出しアドレスを作成する。ｃｏｓ用ＲＯＭ１から読み出しアドレスに基づいて色副搬送波の周波数の余弦波を読み出す。また、ｓｉｎ用ＲＯＭ２からも同様にして色副搬送波の周波数の正弦波を読み出す。積和演算器４ではｃｏｓ用ＲＯＭ１から読み出した値と入力Ｃｒ信号とを掛け合わせた値とｓｉｎ用ＲＯＭ２から読み出した値と入力Ｃｂ信号とを掛け合わせた値をそれぞれ求めた後、２つの積の値を足し合わせ変調色信号を作成する。このようにカラーエンコーダを構成したので、色副搬送波の周波数と色差信号のサンプリング周波数の関係が整数倍でない場合でも変調色信号を作成することができる。また、読み出しアドレスを１づつ増加するようにしたので、読み出しアドレス作成手段３の構成を実施例１の場合に比べて簡単にできる。
【００５７】
前記実施例では色副搬送波周波数が３．５７９５ＭＨｚ、サンプリング周波数が２０．２５ＭＨｚの場合について説明したが、この例以外にも、サンプリング周波数はどのような値であってもよく、色副搬送波周波数とサンプリング周波数の整数比が略Ｍ：Ｎとなるときの余弦波、正弦波を求める式は前記に示した場合と同様にして、
ｆｃ（ｙ）＝ｃｏｓ（（２・Ｍπ／Ｎ）ｙ）            ．．．（５）
ｆｓ（ｙ）＝ｓｉｎ（（２・Ｍπ／Ｎ）ｙ）            ．．．（６）
となり、アドレスｙを０からＮ−１まで１ずつ順々に変えてｆｃ（ｙ）、ｆｓ（ｙ）を求めて、ＲＯＭに記憶すれば、前記実施例と同様の効果が得られる。
【００５８】
また、ＲＯＭに記憶する順序は前記実施例１、２に示した例だけに限るものではなく、色副搬送波周波数の余弦波と正弦波が読み出されるように読み出しアドレスを与えるのならば、どのような順序で記憶してもよい。
【００５９】
実施例３．
前記実施例では余弦波、正弦波１周期をＮ等分した値をそれぞれＲＯＭに記憶した例について示した。ここで、余弦波は１／２周期の点で線対称、つまり１／２周期の点で折り返したとき値が等しくなり、また、正弦波は点対称、つまり１／２周期の点で折り返したとき正負反転した値が等しくなるという特性がある。この特性を利用して余弦、正弦のＲＯＭの容量を半分にした例について、その構成を示す図２を用いて説明する。図２において、５は色副搬送波周波数の余弦関数の値を記憶したｃｏｓ用ＲＯＭ、６は色副搬送波周波数の正弦関数の値を記憶したｓｉｎ用ＲＯＭ、７はアドレスを作成するアドレス作成手段、８はアドレス作成手段７からのアドレスを変換し、読み出しアドレスとして出力するアドレス変換手段、９はアドレス作成手段７からのアドレスに基づいて反転制御信号を出力する反転制御手段、１０はアドレス作成手段７とアドレス変換手段８と反転制御手段９から構成された読み出しアドレス作成手段、１１はｓｉｎ用ＲＯＭ６から読み出した値を正負反転する正負反転手段である。ここで、前記実施例と同一の符号は同一または対応する部材を示す。また、色副搬送波周波数とカラーエンコーダのサンプリング周波数は実施例１と同一の周波数であり、その整数比は略３５：１９８とする。ｃｏｓ用ＲＯＭ５には、余弦波１周期を１９８等分した各値の内前半の１００（＝Ｎ／２＋１）個を記憶する。また、ｓｉｎ用ＲＯＭ６には同様にして正弦波１周期を１９８等分した各値の内前半の１００個を記憶する。
【００６０】
次に動作について説明する。アドレス作成手段７は前記実施例１と同様にしてサンプリング周波数に従って３５づつ増加するアドレスを作成する。アドレス変換手段８ではアドレス作成手段７からのアドレスが９９（＝Ｎ／２）以下のときはそのまま読み出しアドレスとして出力し、９９を超えるときは１９８からアドレスを減算した値を読み出しアドレスとして出力する。
【００６１】
反転制御手段９ではアドレス作成手段７からのアドレスが９９を超えるときは正負反転手段１１に正負の反転を指示し、９９以下のときはそのまま出力するよう指示するような反転制御信号を出力する。ｃｏｓ用ＲＯＭ５からアドレス変換手段８で変換した読み出しアドレスに基づいて色副搬送波周波数の余弦波の値を読み出す。また、ｓｉｎ用ＲＯＭ６からアドレス変換手段８で変換した読み出しアドレスに基づいて色副搬送波周波数の正弦波の値を読み出す。ｓｉｎ用ＲＯＭ６からの正弦波の値は反転制御信号が正負の反転を指示しているときは正負反転手段１１で正負を反転して出力し、正負の反転を指示していないときはそのまま出力する。積和演算器４ではｃｏｓ用ＲＯＭ５から読み出した値と入力Ｃｒ信号の値を掛算して得た値と正負反転手段１１からの値と入力Ｃｂ信号の値を掛算して得た値とをそれぞれ求めた後、２つの積の値を足し合わせ、変調色信号を作成する。このようにカラーエンコーダを構成したので、ｃｏｓ、ｓｉｎ用ＲＯＭの容量がそれぞれ半分にすることができる。
【００６２】
前記実施例では色副搬送波周波数が３．５７９５ＭＨｚ、２つの色差信号のサンプリング周波数が２０．２５ＭＨｚの場合について説明したが、この例以外にも、色差信号のサンプリング周波数はどのような値であってもよく、色副搬送波周波数とサンプリング周波数の整数比が略Ｍ：Ｎのとき余弦波、正弦波１周期をＮ等分した値の前半Ｎが偶数のときはＮ／２＋１個、Ｎが奇数のときは（Ｎ−１）／２個をそれぞれＲＯＭに記憶し、Ｍ−１個おきに読み出すようにアドレスを作成しアドレスがＮ／２を超える場合にはＮからそのアドレスを引いた値を読み出しアドレスとしてＲＯＭから色副搬送波周波数の余弦波、正弦波を読み出せば、前記実施例と同様の効果が得られる。
【００６３】
また、前記実施例ではアドレス作成手段７とアドレス変換手段８によりｃｏｓ用ＲＯＭ５とｓｉｎ用ＲＯＭ６から読み出すアドレスを作成する例について示したが、この例以外にも、サンプリング周波数に従ってＭづつ大きくしてアドレスを作成し、Ｎ／２を超えたときはＮから引いた値をアドレスとし、このアドレスからＭづつ小さくしてアドレスを作成し、負になったときは正負反転した値をアドレスとし、以下上記のことを繰り返してアドレスを作成するようにアドレス作成手段を構成すれば、前記実施例と同様の効果が得られる。
【００６４】
実施例４．
前記実施例３では余弦、正弦波１周期を１９８等分した前半の１００個をｃｏｓ用ＲＯＭ５、ｓｉｎ用ＲＯＭ６に記憶し、３５おきに読み出した例について説明した。この例以外にも、前記実施例２で求めた余弦、正弦波のＲＯＭテーブルの前半１００個のみをｃｏｓ用ＲＯＭ５、ｓｉｎ用ＲＯＭ６に記憶しても同様の効果が得られる。図２に示す構成を用いて、動作を説明する。アドレス作成手段７は０から１９７まで１ずつ順に増加するアドレスを作成する。アドレス変換手段８ではアドレス作成手段７からのアドレスが９９以下のときはそのまま読み出しアドレスとして出力し、９９を超えるときはアドレスから１９８を減算した値を読み出しアドレスとして出力する。
【００６５】
反転制御手段９ではアドレス作成手段７からのアドレスが９９を超えるときは正負反転手段１１に正負の反転を指示し、９９以下のときはそのまま出力するよう指示するような反転制御信号を出力する。ｃｏｓ用ＲＯＭ５からアドレス変換手段８で変換した読み出しアドレスに基づいて色副搬送波周波数の余弦波の値を読み出す。また、ｓｉｎ用ＲＯＭ６からアドレス変換手段８で変換した読み出しアドレスに基づいて色副搬送波周波数の正弦波の値を読み出す。ｓｉｎ用ＲＯＭ６からの正弦波の値はアドレス作成手段７のアドレスが９９を超えるときには正負反転手段１１で正負を反転して出力する。積和演算器４ではｃｏｓ用ＲＯＭ５から読み出した値と入力Ｃｒ信号の値を掛算して得た値と正負反転手段１１からの値と入力Ｃｂ信号の値を掛算して得た値とをそれぞれ求めた後、２つの積の値を足し合わせ、変調色信号を作成する。このようにカラーエンコーダを構成したので、ｃｏｓ、ｓｉｎ用ＲＯＭの容量をそれぞれ半分にすることができる。また、前記実施例３に比べてアドレスを１づつ増加するようにしたので、アドレス作成手段の構成を簡単にすることができる。
【００６６】
前記実施例では色副搬送波周波数が３．５７９５ＭＨｚ、サンプリング周波数が２０．２５ＭＨｚの場合について説明したが、この例以外にも、サンプリング周波数はどのような値であってもよく、色副搬送波周波数とサンプリング周波数の整数比が略Ｎ：Ｍのとき余弦波、正弦波を求める式は実施例２より式（５）、（６）となり、アドレスｙを０からＮ／２（Ｎが偶数のとき）まで、または０から（Ｎ−１）／２（Ｎが奇数のとき）まで１ずつ順々に変えてｆｃ（ｙ）、ｆｓ（ｙ）を求めて、ｃｏｓ用ＲＯＭ５、ｓｉｎ用ＲＯＭ６に記憶すれば、前記実施例と同様の効果が得られる。また、ＲＯＭに記憶する順序はこの例だけに限るものではなく、どのような順序で記憶しても余弦波、正弦波をＲＯＭから読み出せるようにアドレスを与えるならば、前記実施例と同様の効果が得られる。
【００６７】
実施例５．
前記実施例４ではアドレス作成手段７とアドレス変換手段８によりｃｏｓ用ＲＯＭ５とｓｉｎ用ＲＯＭ６から読み出すアドレスを作成する例について示したが、この例以外にも、図３のように構成してもよい。図３において、１２はアドレスを作成するアドレス作成手段、１３は反転制御信号を作成する反転制御手段、１４はアドレス作成手段１２と反転制御手段１３から構成された読み出しアドレス作成手段である。ここで、前記実施例と同一の符号は同一または対応する部材を示す。前記実施例４と同様にしてｃｏｓ用ＲＯＭ５、ｓｉｎ用ＲＯＭ６に前記実施例２で求めた余弦、正弦波のＲＯＭテーブルの前半１００個のみを記憶する。
【００６８】
次に動作について説明する。アドレス作成手段１２は読み出しアドレスを０から９９（＝Ｎ／２）まで１ずつ順に増加させた後、０まで１ずつ順に減少させる。反転制御手段１３ではアドレス作成手段１２がアドレスを増加させているときは正負反転手段１１にそのまま出力するよう指示し、アドレスを減少させているときは正負の反転を指示するような反転制御信号を出力する。以下、前記実施例４と同様にしてｃｏｓ用ＲＯＭ５から余弦波をｓｉｎ用ＲＯＭ６から正弦波を読み出し、正負反転手段１１で反転制御信号に従って正弦波を正負反転し、積和演算器４で入力Ｃｒ、Ｃｂ信号とｃｏｓ用ＲＯＭ５からの出力と正負反転手段１１の出力を積和演算して変調色信号を出力する。このようにカラーエンコーダを構成したので、ｃｏｓ、ｓｉｎ用ＲＯＭの容量をそれぞれ半分にすることができる。また、前記実施例３に比べてアドレスを１づつ増加、減少するようにしたので、アドレス作成手段の構成を簡単にすることができる。
【００６９】
前記実施例ではアドレスの増加、減少に従って反転制御信号が指示する動作を変更する例について示したが、この例以外にも、アドレスが特定の値、０と９９となる毎に反転制御信号が指示する動作を変更してもよい。また、アドレスに基づいて変更するだけではなく、反転制御信号作成用のカウンタを設け、そのカウンタの値に基づいて変更してもよい。
【００７０】
また、前記実施例では色副搬送波周波数が３．５７９５ＭＨｚ、サンプリング周波数が２０．２５ＭＨｚ  の場合について説明したが、この例以外にも、サンプリング周波数はどのような値であってもよく、色副搬送波周波数とサンプリング周波数の整数比が略Ｎ：Ｍのとき、Ｎが偶数の場合には０からＮ／２まで１ずつ順に増加させた後、０まで１ずつ順に減少するアドレスを作成し、Ｎが奇数の場合には０から（Ｎ−１）／２まで１ずつ順に増加させた後、（Ｎ−１）／２から０まで１ずつ順に減少するアドレスを作成するようにアドレス作成手段を構成すれば、前記実施例と同様の効果が得られる。
【００７１】
実施例６．
前記実施例３〜５では余弦波の１／２周期の点で線対称、正弦波の１／２周期の点で点対称の特性を利用してそれぞれのＲＯＭの容量を半分にした例について示した。ここで、余弦波と正弦波は半周期の前半部の正負を反転した値が後半部となる特性がある。この特性を利用して余弦、正弦のＲＯＭの容量を半分にした例について、その構成を示す図４を用いて説明する。図４において、１５はアドレスを作成するアドレス作成手段、１６はアドレス作成手段１５からのアドレスを変換するアドレス変換手段、１７はアドレス作成手段１５からのアドレスに基づいて反転制御信号を出力する反転制御手段、１８はアドレス作成手段１５とアドレス変換手段１６と反転制御手段１７から構成された読み出しアドレス作成手段、１９は色副搬送波周波数の余弦関数の値を記憶したｃｏｓ用ＲＯＭ、２０は色副搬送波周波数の正弦関数の値を記憶したｓｉｎ用ＲＯＭ、２１はｃｏｓ用ＲＯＭ１９から読み出した値を正負反転する正負反転手段、２２はｓｉｎ用ＲＯＭ２０から読み出した値を正負反転する正負反転手段である。ここで、前記実施例と同一の符号は同一または対応する部材を示す。また、色副搬送波周波数とサンプリング周波数は前記実施例１と同一の周波数であり、その整数比は略３５：１９８となる。ｃｏｓ用ＲＯＭ１９には実施例１と同様にして余弦波１周期を１９８等分した各値の内前半の９９（＝Ｎ／２）個を記憶する。また、ｓｉｎ用ＲＯＭ２０には同様にして正弦波１周期を１９８等分した各値の内前半の９９個を記憶する。
【００７２】
次に動作について説明する。アドレス作成手段１５は前記実施例１と同様にしてサンプリング周波数に従って３５づつ増加するアドレスを作成する。アドレス変換手段１６ではアドレス作成手段１５からのアドレスが９９（＝Ｎ／２）より小さいときはそのまま読み出しアドレスとして出力し、９９以上のときはアドレスから９９をを減算した値を読み出しアドレスとして出力する。
【００７３】
反転制御手段１７ではアドレス作成手段１５からのアドレスが９９以上のときは正負反転手段２１、２２に正負の反転を指示し、９９より小さいときはそのまま出力するように指示する反転制御信号を出力する。ｃｏｓ用ＲＯＭ１９からアドレス変換手段１６で変換した読み出しアドレスに基づいて色副搬送波周波数の余弦波の値を読み出す。また、ｓｉｎ用ＲＯＭ２０からアドレス変換手段１６で変換した読み出しアドレスに基づいて色副搬送波周波数の正弦波の値を読み出す。ｃｏｓ用ＲＯＭ１９からの余弦波の値は反転制御信号が正負の反転を指示しているときは正負反転手段２１で正負を反転して出力し、正負の反転を指示していないときはそのまま出力する。ｓｉｎ用ＲＯＭ２０からの正弦波の値も同様にして反転制御信号に従って正負反転手段２２で正負を反転して出力する。積和演算器４では正負反転手段２１からの値と入力Ｃｒ信号の値を掛算して得た値と正負反転手段２２からの値と入力Ｃｂ信号の値を掛算して得た値とをそれぞれ求めた後、２つの積の値を足し合わせ変調色信号を作成する。このようにカラーエンコーダを構成したので、ｃｏｓ、ｓｉｎ用ＲＯＭの容量をそれぞれ半分にすることができる。
【００７４】
前記実施例では色副搬送波周波数が３．５７９５ＭＨｚ、サンプリング周波数が２０．２５ＭＨｚの場合について説明したが、この例以外にも、色副搬送波周波数とサンプリング周波数の整数比が略Ｍ：Ｎ（Ｎは偶数）となるサンプリング周波数ならば、どのようなサンプリング周波数であっても、前記実施例と同様にして余弦波、正弦波１周期をＮ等分した値の前半Ｎ／２個のみをそれぞれＲＯＭに記憶し、Ｍ−１個おきに読み出すようにアドレスを作成しアドレスがＮ／２以上の場合にはそのアドレスからＮ／２を引いた値を読み出しアドレスとしてＲＯＭから色副搬送波周波数の余弦波、正弦波を読み出せば、前記実施例と同様の効果が得られる。
【００７５】
また、前記実施例ではアドレス作成手段１５とアドレス変換手段１６によりｃｏｓ用ＲＯＭ１９とｓｉｎ用ＲＯＭ２０から読み出すアドレスを作成する例について示したが、この例以外にも、サンプリング周波数に従ってＭづつ大きくしてアドレスを作成し、Ｎ／２以上のときはＮ／２から引いた値をアドレスとし、このアドレスからＭづつ大きくしてアドレスを作成するようにアドレス作成手段を構成すれば、前記実施例と同様の効果が得られる。
【００７６】
実施例７．
前記実施例６では余弦、正弦波１周期を１９８等分した前半の９９個をｃｏｓ用ＲＯＭ１９、ｓｉｎ用ＲＯＭ２０に記憶し、３４おきに読み出した例について説明した。この例以外にも、前記実施例２で求めた余弦、正弦波のＲＯＭテーブルの前半９９個のみを利用するようにしても同様の効果が得られる。図４に示す構成を用いて動作を説明する。アドレス作成手段１５は０から１９７まで１ずつ順に増加する読み出しアドレスを作成する。アドレス変換手段１６ではアドレス作成手段１５からのアドレスが９９より小さいときはそのまま読み出しアドレスとして出力し、９９以上のときはアドレスから９９を減算した値を読み出しアドレスとして出力する。
【００７７】
反転制御手段１７ではアドレス作成手段１５からのアドレスが９９以上のときは正負反転手段２１、２２に正負の反転を指示し、９９より小さいときはそのまま出力するように指示する反転制御信号を出力する。ｃｏｓ用ＲＯＭ１９からアドレス変換手段１６で変換した読みだしアドレスに基づいて色副搬送波周波数の余弦波の値を読み出す。また、ｓｉｎ用ＲＯＭ２０からアドレス変換手段１６で変換した読み出しアドレスに基づいて色副搬送波周波数の正弦波の値を読み出す。ｃｏｓ用ＲＯＭ１９からの余弦波の値は反転制御信号が正負の反転を指示しているときは正負反転手段２１で正負を反転して出力し、正負の反転を指示していないときはそのまま出力する。ｓｉｎ用ＲＯＭ２０からの正弦波の値は同様にして反転制御信号に従って正負反転手段２２で正負を反転して出力する。積和演算器４では正負反転手段２１からの値と入力Ｃｒ信号の値を掛算して得た値と正負反転手段２２からの値と入力Ｃｂ信号の値を掛算して得た値とをそれぞれ求めた後、２つの積の値を足し合わせ変調色信号を作成する。このようにカラーエンコーダを構成したので、ｃｏｓ、ｓｉｎ用ＲＯＭの容量をそれぞれ半分にすることができる。また、前記実施例６に比べてアドレスを１づつ増加するようにしたので、アドレス作成手段１５の構成を簡単にすることができる。
【００７８】
前記実施例では色副搬送波周波数が３．５７９５ＭＨｚ、サンプリング周波数が２０．２５ＭＨｚ  の場合について説明したが、この例以外にも、色副搬送波周波数とサンプリング周波数の整数比が略Ｍ：Ｎ（Ｎは偶数）となるサンプリング周波数ならば、どのようなサンプリング周波数であっても、余弦波、正弦波を求める式は実施例２より式（５）、（６）となり、アドレスｙを０からＮ／２−１まで１ずつ順々に変えてｆｃ（ｙ）、ｆｓ（ｙ）を求めて、ｃｏｓ用ＲＯＭ１９、ｓｉｎ用ＲＯＭ２０に記憶し、０からＮ−１まで１ずつ順に大きくなるアドレスを作成しアドレスがＮ／２以上の場合にはそのアドレスからＮ／２を引いた値を読み出しアドレスとしてＲＯＭから色副搬送波周波数の余弦波、正弦波を読み出せば、前記実施例と同様の効果が得られる。
【００７９】
実施例８．
前記実施例７ではアドレス作成手段１５とアドレス変換手段１６によりｃｏｓ用ＲＯＭ１８、ｓｉｎ用ＲＯＭ１９から読み出すアドレスを作成する例について示したが、この例以外にも、図５のように構成してもよい。図５において、２３はアドレスを作成するアドレス作成手段、２４はアドレス作成手段２３からのアドレスに基づいて反転制御信号を出力する反転制御手段、２５はアドレス作成手段２３と反転制御手段２４から構成された読み出しアドレス作成手段である。ここで、前記実施例と同一の符号は同一または対応する部材を示す。また、ｃｏｓ用ＲＯＭ１９、ｓｉｎ用ＲＯＭ２０には前記実施例７と同様に前記実施例２で求めた余弦、正弦波のＲＯＭテーブルの前半９９個を記憶する。
【００８０】
次に動作について説明する。アドレス作成手段２３は読み出しアドレスを０から９８（＝Ｎ／２−１）まで１ずつ順に増加させ、９８に達したら０に戻り、以下これを繰返す。反転制御手段２４ではアドレス作成手段２３が作成した読み出しアドレスが９８になる毎に正負の反転をするしないを切り替えて、反転制御信号を作成する。以下、前記実施例７と同様にしてｃｏｓ用ＲＯＭ１９から余弦波をｓｉｎ用ＲＯＭ２０から正弦波を読み出し、正負反転手段２１、２２で反転制御信号に従って余弦波、正弦波を正負反転し、積和演算器４で入力Ｃｒ、Ｃｂ信号と正負反転手段２１、２２の出力を積和演算をして変調色信号を出力する。このようにカラーエンコーダを構成したので、ｃｏｓ、ｓｉｎ用ＲＯＭの容量をそれぞれ半分にすることができる。また、前記実施例６に比べてアドレスを１づつ増加するようにしたので、アドレス作成手段の構成を簡単にすることができる。
【００８１】
前記実施例では色副搬送波周波数が３．５７９５ＭＨｚ、サンプリング周波数が２０．２５ＭＨｚ  の場合について説明したが、この例以外にも、色副搬送波周波数とサンプリング周波数の整数比が略Ｍ：Ｎ（Ｎは偶数）となるサンプリング周波数ならば、どのようなサンプリング周波数であっても、０からＮ／２−１まで１ずつ順に増加させてアドレスを作成するようにアドレス作成手段を構成すれば、前記実施例と同様の効果が得られる。
【００８２】
実施例９．
前記実施例６〜８では余弦波の１／２周期の点で線対称、正弦波の１／２周期の点で点対称の特性を利用してそれぞれのＲＯＭの容量を半分にした例について示した。ここで、余弦波の１／４周期、３／４周期の点で点対称、正弦波の１／４周期、３／４周期の点で線対称となる特性がある。この特性を利用して余弦、正弦のＲＯＭの容量を１／４にした例について、その構成を示す図６を用いて説明する。図６において、２６はアドレスを作成するアドレス作成手段、２７はアドレス作成手段２６からのアドレスを変換するアドレス変換手段、２８はアドレス作成手段２６からのアドレスに基づいてｃｏｓ用、ｓｉｎ用反転制御信号を出力する反転制御手段、２９はアドレス作成手段２６とアドレス変換手段２７と反転制御手段２８から構成された読み出しアドレス作成手段、３０は色副搬送波周波数の余弦関数の値を記憶したｃｏｓ用ＲＯＭ、３１は色副搬送波周波数の正弦関数の値を記憶したｓｉｎ用ＲＯＭである。ここで、前記実施例と同一の符号は同一または対応する部材を示す。また、色副搬送波周波数とサンプリング周波数は前記実施例１と同一の周波数であり、その整数比は略３５：１９８となる。ｃｏｓ用ＲＯＭ３０には実施例１と同様にして余弦波１周期を１９８等分した各値の内前半の５０（＝ｉｎｔ（Ｎ／４）＋１）個を記憶する。同様にして、ｓｉｎ用ＲＯＭ３１には正弦波１周期を１９８等分した各値の内前半の５０（＝ｉｎｔ（Ｎ／４）＋１）個を記憶する。ただし、ｉｎｔ（ｘ）はｘを超えない最大の整数である。
【００８３】
次に動作について説明する。アドレス作成手段２６は前記実施例１と同様にしてサンプリング周波数に従って３５づつ増加するアドレスを作成する。アドレス変換手段２７ではアドレス作成手段２６からのアドレスが４９以下のときはそのまま読み出しアドレスとして出力し、５０以上９９以下のときは９９からアドレスを減算した値を読み出しアドレスとして出力し、１００以上１４８以下のときはアドレスから９９を減算した値を読み出しアドレスとして出力し、１４９以上のときは１９８からアドレスを減算した値を読み出しアドレスとして出力する。
【００８４】
反転制御手段２８ではアドレス作成手段２６からのアドレスが５０以上１４８以下のときは正負反転手段２１に正負の反転を指示し、それ以外の場合にはそのまま出力するように指示するｃｏｓ用反転制御信号を出力し、１００以上のときは正負反転手段２２に正負の反転を指示し、それ以外の場合にはそのまま出力するように指示するｓｉｎ用反転制御信号を出力する。ｃｏｓ用ＲＯＭ３０からアドレス変換手段２７で変換した読み出しアドレスに基づいて色副搬送波周波数の余弦波の値を読み出す。また、ｓｉｎ用ＲＯＭ３１からアドレス変換手段２７で変換した読み出しアドレスに基づいて色副搬送波周波数の正弦波の値を読み出す。ｃｏｓ用ＲＯＭ３０からの余弦波の値はｃｏｓ用反転制御信号が正負の反転を指示しているときは正負反転手段２１で正負を反転して出力し、正負の反転を指示していないときはそのまま出力する。ｓｉｎ用ＲＯＭ３１からの正弦波の値はｓｉｎ用反転制御信号が正負の反転を指示しているときは正負反転手段２２で正負を反転して出力し、正負の反転を指示していないときはそのまま出力する。積和演算器４では正負反転手段２１からの値と入力Ｃｒ信号の値を掛算して得た値と正負反転手段２２からの値と入力Ｃｂ信号の値を掛算して得た値とをそれぞれ求めた後、２つの積の値を足し合わせ変調色信号を作成する。このようにカラーエンコーダを構成したので、ｃｏｓ、ｓｉｎ用ＲＯＭの容量をそれぞれ１／４にすることができる。
【００８５】
前記実施例では色副搬送波周波数が３．５７９５ＭＨｚ、サンプリング周波数が２０．２５ＭＨｚ  の場合について説明したが、この例以外にも、色副搬送波周波数とサンプリング周波数の整数比が略Ｍ：Ｎ（Ｎは偶数）となるサンプリング周波数ならば、どのようなサンプリング周波数であっても、前記実施例と同様にして余弦波、正弦波１周期をＮ等分した値の前半ｉｎｔ（Ｎ／４）＋１個（ｉｎｔ（ｘ）はｘを超えない最大の整数）のみをＲＯＭに記憶し、Ｍ−１個おきに読み出すようにアドレスを作成しアドレスが０〜Ｎ／４のときはそのまま読み出しアドレスとし、Ｎ／４〜Ｎ／２のときはアドレスからＮ／２を引いた値を読み出しアドレスとし、Ｎ／２〜（３／４）ＮのときはアドレスからＮ／２を引いた値を読み出しアドレスとし、（３／４）Ｎ〜Ｎ−１のときはＮからアドレスを引いた値を読み出しアドレスとしてＲＯＭから色副搬送波周波数の余弦波、読み出せば、前記実施例と同様の効果が得られる。
【００８６】
また、前記実施例ではアドレス作成手段２６とアドレス変換手段２７によりｃｏｓ用ＲＯＭ３０とｓｉｎ用ＲＯＭ３１から読み出すアドレスを作成する例について示したが、この例以外にも、サンプリング周波数に従ってＭづつ大きくしてアドレスを作成し、Ｎ／４以上のときはＮ／２から引いた値をアドレスとし、このアドレスからＭづつ小さくしてアドレスを作成するようにアドレス作成手段を構成すれば、前記実施例と同様の効果が得られる。
【００８７】
実施例１０．
前記実施例９では余弦、正弦波１周期を１９８等分した前半の５０個をｃｏｓ用ＲＯＭ３０、ｓｉｎ用ＲＯＭ３１記憶し、３４おきに読み出した例について説明した。この例以外にも、前記実施例２で求めた余弦、正弦波のＲＯＭテーブルの前半５０個のみを利用するようにして同様の効果が得られる。図６に示す構成を用いて動作を説明する。アドレス作成手段２６は０から１９７まで１ずつ順に増加する読み出しアドレスを作成する。アドレス変換手段２７ではアドレス作成手段２６からのアドレスが４９以下のときはそのまま読み出しアドレスとして出力し、５０以上９９以下のときは９９からアドレスを減算した値を読み出しアドレスとして出力し、１００以上１４８以下のときはアドレスから９９を減算した値を読み出しアドレスとして出力し、１４９以上のときは１９８からアドレスを減算した値を読み出しアドレスとして出力する。
【００８８】
反転制御手段２８ではアドレス作成手段２６からのアドレスが５０以上１４８以下のときは正負反転手段２１に正負の反転を指示し、それ以外の場合にはそのまま出力するように指示するｃｏｓ用反転制御信号を出力し、１００以上のときは正負反転手段２２に正負の反転を指示し、それ以外の場合にはそのまま出力するように指示するｓｉｎ用反転制御信号を出力する。ｃｏｓ用ＲＯＭ３０からアドレス変換手段２７で変換した読み出しアドレスに基づいて色副搬送波周波数の余弦波の値を読み出す。また、ｓｉｎ用ＲＯＭ３１からアドレス変換手段２７で変換した読み出しアドレスに基づいて色副搬送波周波数の正弦波の値を読み出す。ｃｏｓ用ＲＯＭ３０からの余弦波の値はｃｏｓ用反転制御信号が正負の反転を指示しているときは正負反転手段２１で正負を反転して出力し、正負の反転を指示していないときはそのまま出力する。ｓｉｎ用ＲＯＭ３１からの正弦波の値はｓｉｎ用反転制御信号が正負の反転を指示しているときは正負反転手段２２で正負を反転して出力し、正負の反転を指示していないときはそのまま出力する。積和演算器４では正負反転手段２１からの値と入力Ｃｒ信号の値を掛算して得た値と正負反転手段２２からの値と入力Ｃｂ信号の値を掛算して得た値とをそれぞれ求めた後、２つの積の値を足し合わせ変調色信号を作成する。このようにカラーエンコーダを構成したので、ｃｏｓ、ｓｉｎ用ＲＯＭの容量をそれぞれ１／４にすることができる。また、前記実施例９に比べてアドレスを１づつ増加、減少するようにしたので、アドレス作成手段の構成を簡単にすることができる。
【００８９】
前記実施例では色副搬送波周波数が３．５７９５ＭＨｚ、サンプリング周波数が２０．２５ＭＨｚ  の場合について説明したが、この例以外にも、色副搬送波周波数とサンプリング周波数の整数比が略Ｍ：Ｎ（Ｎは偶数）となるサンプリング周波数ならば、どのようなサンプリング周波数であっても、実施例２より余弦波、正弦波を求める式は式（５）、（６）であるからアドレスｙを０からｉｎｔ（Ｎ／４）まで１ずつ順々に変えてｆｃ（ｙ）、ｆｓ（ｙ）を求め、ｃｏｓ用ＲＯＭ３０、ｓｉｎ用ＲＯＭ３１に記憶し、０からＮ−１まで１ずつ順に大きくなるアドレスを作成し、アドレスが０〜Ｎ／４のときはそのまま読み出しアドレスとし、Ｎ／４〜Ｎ／２のときはアドレスからＮ／２を引いた値を読み出しアドレスとし、Ｎ／２〜（３／４）ＮのときはアドレスからＮ／２を引いた値を読み出しアドレスとし、（３／４）Ｎ〜Ｎ−１のときはＮからアドレスを引いた値を読み出しアドレスとしてＲＯＭから色副搬送波周波数の余弦波、読み出せば、前記実施例と同様の効果が得られる。
【００９０】
また、前記実施例ではアドレス作成手段２６とアドレス変換手段２７によりｃｏｓ用ＲＯＭ３０とｓｉｎ用Ｍ３１から読み出すアドレスを作成する例について示したが、この例以外にも、Ｎが４の倍数の場合はサンプリング周波数に従って０からＮ／４まで順に１づつ大きくし０まで１づつ小さくしてアドレスを作成し、Ｎが４の倍数でない場合は０からｉｎｔ（Ｎ／４）まで順に１づつ大きくしｉｎｔ（Ｎ／４）から０まで順に１づつ小さくしてアドレスを作成すれば、前記実施例と同様の効果が得られる。
【００９１】
実施例１１．
前記実施例１０ではアドレス作成手段２６とアドレス変換手段２７によりｃｏｓ用ＲＯＭ３０、ｓｉｎ用ＲＯＭ３１から読み出すアドレスを作成する例について示したが、この例以外にも、図７のように構成してもよい。図７において、３２はアドレスを作成するアドレス作成手段、３３はアドレス作成手段３２からのアドレスに基づいて反転制御信号を出力する反転制御手段、３４はアドレス作成手段３２と反転制御手段３３から構成された読み出しアドレス作成手段である。ここで、前記実施例と同一の符号は同一または対応する部材を示す。また、ｃｏｓ用ＲＯＭ３０、ｓｉｎ用ＲＯＭ３１には前記実施例１０と同様に前記実施例２で求めた余弦、正弦波のＲＯＭテーブルの前半５０個を記憶する。
【００９２】
次に動作について説明する。アドレス作成手段３２は読み出しアドレスを０から４９（＝ｉｎｔ（Ｎ／４））まで１ずつ順に増加させて発生した後、４９から０まで１ずつ順に減少させて発生する。反転制御手段３３は読み出しアドレスが０から４９まで増加し４９になるとｃｏｓ用反転制御信号が指示する動作を正負を反転する動作に切り替え、４９から０まで減少し０になるとｓｉｎ用反転制御信号が指示する動作を正負を反転する動作に切り替え、０から４９まで増加し４９になるとｃｏｓ用反転制御信号が指示する動作を正負を反転しない動作に切り替え、４９から０まで減少し０になるとｓｉｎ用反転制御信号が指示する動作を正負を反転しない動作に切り替える。以下、前記実施例１０と同様にしてｃｏｓ用ＲＯＭ３０から余弦波をｓｉｎ用ＲＯＭ３１から正弦波を読み出し、正負反転手段２１、２２で反転制御信号に従って余弦波、正弦波を正負反転し、積和演算器４で入力Ｃｒ、Ｃｂ信号と正負反転手段２１、２２の出力を積和演算して変調色信号を出力する。このようにカラーエンコーダを構成したので、ｃｏｓ、ｓｉｎ用ＲＯＭの容量をそれぞれ半分にすることができる。また、前記実施例９に比べてアドレスを１づつ増加、減少するように構成したので、アドレス作成手段の構成を簡単にすることができる。
【００９３】
前記実施例では色副搬送波周波数が３．５７９５ＭＨｚ、サンプリング周波数が２０．２５ＭＨｚ  の場合について説明したが、この例以外にも、色副搬送波周波数とサンプリング周波数の整数比が略Ｍ：Ｎ（Ｎは偶数）となるサンプリング周波数ならば、どのようなサンプリング周波数であっても、０からｉｎｔ（Ｎ／４）まで１ずつ順に増加させた後、ｉｎｔ（Ｎ／４）から０まで１ずつ順に減少させてアドレスを作成するようにアドレス作成手段を構成すれば前記実施例と同様の効果が得られる。
【００９４】
実施例１２．
前記実施例ではｃｏｓ用ＲＯＭ、ｓｉｎ用ＲＯＭをそれぞれ別々に設けた例について説明したが、余弦関数と正弦関数は位相が１／４周期だけずれた関数であるということを利用して余弦、正弦のＲＯＭを共用した例について、その構成を示す図８を用いて説明する。図８において、３５は余弦波用のアドレスＣａを作成するアドレス作成手段、３６は余弦波用のアドレスＣａを正弦波用のアドレスＳａに変換するアドレス変換手段、３７はアドレス作成手段３５とアドレス変換手段３６から構成された読み出しアドレス作成手段、３８は余弦波用のアドレスＣａと正弦波用のアドレスＳａを切り替えるスイッチ、３９は色副搬送波周波数の余弦関数の値を記憶したＲＯＭ、４０は余弦波の値と正弦波の値を切り替えるスイッチである。また、色副搬送波周波数とサンプリング周波数は前記実施例１と同一の周波数であり、その整数比はここでは略４１：２３２とする。前記実施例１と同様にして、色副搬送波周波数の余弦波１周期を２３２等分した各値をＲＯＭ３９に記憶する。このときのＲＯＭテーブルを表５、表６および表７に示す。
【００９５】
【表５】
0003611362.tif 000006
【００９６】
【表６】
0003611362.tif 000007
【００９７】
【表７】
0003611362.tif 000008
【００９８】
次に動作について説明する。アドレス作成手段３５はサンプリング周波数に従って４１づつ増加する余弦波用のアドレスＣａを作成する。アドレス変換手段３６では余弦波用のアドレスＣａが５８（＝Ｎ／４）より小さいときはアドレスＣａに１７４（３Ｎ／４）を加算した値を正弦波用のアドレスＳａとして出力し、５８以上のときはアドレスＣａから５８を減算した値を正弦波用のアドレスＳａとして出力する。スイッチ３８ではサンプリング周波数の倍の周波数で余弦波用のアドレスＣａと正弦波用のアドレスＳａを切り替え、ＲＯＭ３９の読み出しアドレスとして出力する。ＲＯＭ３９から読み出しアドレスに基づいて色副搬送波周波数の余弦波の値と正弦波の値を交互に読み出す。スイッチ４０ではスイッチ３８の切り替えと同期してＲＯＭ３９からの余弦波と正弦波の値を振り分ける。積和演算器４ではスイッチ４０からの余弦波の値と入力Ｃｒ信号の値を掛算して得た値とスイッチ４０からの正弦波の値と入力Ｃｂ信号の値を掛算して得た値とをそれぞれ求めた後、２つの積の値を足し合わせ、変調色信号を作成する。このようにカラーエンコーダを構成したので、ＲＯＭの容量を半分にすることができる。
【００９９】
前記実施例では色副搬送波周波数が３．５７９５ＭＨｚ、サンプリング周波数が２０．２５ＭＨｚ  の場合について説明したが、この例以外にも、色副搬送波周波数とサンプリング周波数の整数比が略Ｍ：Ｎ（Ｎは４の倍数）となるサンプリング周波数ならば、どのようなサンプリング周波数であっても、前記実施例と同様に余弦波１周期をＮ等分した値をＲＯＭに記憶し、Ｍづつ変化する余弦波用のアドレスとそのアドレスがＮ／４より小さいときは（３／４）Ｎを加算し、Ｎ／４以上のときはＮ／４を減算して正弦波用のアドレスを作成するように構成すれば、前記実施例と同様の効果が得られる。
【０１００】
実施例１３．
前記実施例では余弦波用のアドレスから正弦波用のアドレスを作成する例について示したが、この例以外にも、余弦波用のアドレスＣａを０から、正弦波用のアドレスＳａを１７４からそれぞれ４１づつ増加させて作成するようにしてもよい。そのようにアドレスを作成するように構成した図９を用いて説明する。図９において、４１は余弦波用のアドレスＣａを作成するｃｏｓアドレス作成手段、４２は正弦波用のアドレスＳａを作成するｓｉｎアドレス作成手段、４３はｃｏｓアドレス作成手段４１とｓｉｎアドレス作成手段４２から構成された読み出しアドレス作成手段である。ここで、ＲＯＭ３９には前記実施例１２と同様の値を記憶する。
【０１０１】
次に動作について説明する。ｃｏｓアドレス作成手段４１は電源投入時やリセットをかけたときなどにアドレスを０にセットした後、サンプリング周波数に従って４１づつ増加する余弦波用のアドレスＣａを作成する。ｓｉｎアドレス作成手段４２も同様にしてリセット時に１７４にセットした後、サンプリング周波数に従って４１づつ増加する正弦波用のアドレスＳａを作成する。以下、前記実施例１２と同様にして余弦波用、正弦波用のアドレスをスイッチ３８で交互に多重して、ＲＯＭ３９の読み出しアドレスとする。ＲＯＭ３９からの出力はスイッチ４０で余弦波と正弦波の値に振り分け、積和演算器４で入力Ｃｒ、Ｃｂ信号と積和演算して変調色信号を作成する。このようにカラーエンコーダを構成したので、ＲＯＭの容量を半分にすることができる。
【０１０２】
前記実施例では電源投入時やリセットをかけたときなどに余弦波、正弦波用のアドレスをそれぞれ０、１７４にセットした例について示した。この例以外にも、リセットするアドレスをそれぞれＸｃ、Ｘｓとして、Ｘｃが５８以下のときはＸｓをＸｓ＝Ｘｃ＋１７４とし、Ｘｃが５８より大きいときはＸｓをＸｓ＝Ｘｃ−５８とすれば、前記実施例と同様の効果が得られる。
【０１０３】
また、前記実施例では色副搬送波周波数が３．５７９５ＭＨｚ、サンプリング周波数が２０．２５ＭＨｚ  の場合について説明したが、この例以外にも、色副搬送波周波数とサンプリング周波数の整数比が略Ｍ：Ｎ（Ｎは４の倍数）となるサンプリング周波数ならば、どのようなサンプリング周波数であっても、前記実施例と同様に余弦波１周期をＮ等分した値をＲＯＭに記憶し、リセットするアドレスをＸｃ、Ｘｓとして、ＸｃがＮ／４より小さいときはＸｓをＸｓ＝Ｘｃ＋（３／４）Ｎとし、ＸｃがＮ／４以上のときはＸｓをＸｓ＝Ｘｃ−Ｎ／４とし、余弦波、正弦波用のアドレスをそれぞれＭづつ変化させて作成するように構成すれば、前記実施例と同様の効果が得られる。
【０１０４】
実施例１４．
前記実施例１２、１３ではＲＯＭ３９に余弦波１周期をＮ等分した値を記憶した例について説明した。この例以外にも、ＲＯＭ３９に正弦波１周期をＮ等分した値を記憶するように構成してもよい。このときのＲＯＭテーブルを表５、表６および表７に示す。このように構成した図８を用いて動作を説明する。アドレス作成手段３５はサンプリング周波数に従って４１づつ増加する正弦波用のアドレスを作成する。アドレス変換手段３６では正弦波用のアドレスＳａが１７４以下のときはアドレスＳａに５８を加算した値を余弦波用のアドレスＣａとして出力し、１７４より大きいときはアドレスＳａから１７４を減算した値を余弦波用の読み出しアドレスＣａとして出力する。以下、前記実施例１２と同様にして余弦波用、正弦波用のアドレスＳａ、Ｃａをスイッチ３８で交互に多重して、ＲＯＭ３９の読み出しアドレスとする。ＲＯＭ３９からの出力はスイッチ４０で余弦波と正弦波の値に振り分け、積和演算器４で入力Ｃｒ、Ｃｂ信号と積和演算して変調色信号を作成する。このようにカラーエンコーダを構成したので、ＲＯＭの容量を半分にすることができる。
【０１０５】
前記実施例では色副搬送波周波数が３．５７９５ＭＨｚ、サンプリング周波数が２０．２５ＭＨｚ  の場合について説明したが、この例以外にも、色副搬送波周波数とサンプリング周波数の整数比が略Ｍ：Ｎ（Ｎは４の倍数）となるサンプリング周波数ならば、どのようなサンプリング周波数であっても、前記実施例と同様に正弦波１周期をＮ等分した値をＲＯＭに記憶し、Ｍづつ変化する正弦波用のアドレスとそのアドレスが（３／４）Ｎ以下のときはＮ／４を加算し、（３／４）Ｎより大きいときは（３／４）Ｎを減算して余弦波用のアドレスを作成するように構成すれば、前記実施例と同様の効果が得られる。
【０１０６】
実施例１５．
前記実施例では正弦波用のアドレスから余弦波用のアドレスを作成する例について示したが、この例以外にも、正弦波用のアドレスＳａを０から、余弦波用のアドレスＣａを５８からそれぞれ４１づつ増加させて作成するようにしてもよい。そのようにアドレスを作成するように構成した図９を用いて動作を説明する。ｃｏｓアドレス作成手段４１は電源投入時やリセットをかけたときなどにアドレスを５８にセットした後、サンプリング周波数に従って４１づつ増加する余弦波用のアドレスＣａを作成する。ｓｉｎアドレス作成手段４２も同様にしてリセット時に０にセットした後、サンプリング周波数に従って４１づつ増加する正弦波用のアドレスＳａを作成する。以下、前記実施例１２と同様にして余弦波用、正弦波用のアドレスをスイッチ３８で交互に多重して、ＲＯＭ３９の読み出しアドレスとする。ＲＯＭ３９からの出力はスイッチ４０で余弦波と正弦波の値に振り分け、積和演算器４で入力Ｃｒ、Ｃｂ信号と積和演算して変調色信号を作成する。このようにカラーエンコーダを構成したので、ＲＯＭの容量を半分にすることができる。
【０１０７】
前記実施例では電源投入時やリセットをかけたときなどに余弦波、正弦波用のアドレスをそれぞれ５８、０にセットした例について示した。この例以外にも、リセットするアドレスをそれぞれＸｃ、Ｘｓとして、Ｘｓが１７４以下のときはＸｃをＸｃ＝Ｘｓ＋５８とし、Ｘｓが１７４より大きいときはＸｃをＸｃ＝Ｘｓ−１７４とすれば、前記実施例と同様の効果が得られる。
【０１０８】
また、前記実施例では色副搬送波周波数が３．５７９５ＭＨｚ、サンプリング周波数が２０．２５ＭＨｚ  の場合について説明したが、この例以外にも、色副搬送波周波数とサンプリング周波数の整数比が略Ｍ：Ｎ（Ｎは４の倍数）となるサンプリング周波数ならば、どのようなサンプリング周波数であっても、前記実施例と同様に正弦波１周期をＮ等分した値をＲＯＭに記憶し、リセットするアドレスをＸｃ、Ｘｓとして、Ｘｓが（３／４）Ｎ以下のときはＸｃをＸｃ＝Ｘｓ＋Ｎ／４とし、Ｘｓが（３／４）Ｎより大きいときはＸｃをＸｃ＝Ｘｓ−（３／４）Ｎとし、余弦波、正弦波用のアドレスをそれぞれＭづつ変化させて作成するように構成すれば、前記実施例と同様の効果が得られる。
【０１０９】
実施例１６．
前記実施例１２〜１５では余弦波または正弦波１周期を２３２等分した各値をＲＯＭ３９に記憶し、４０おきに読み出した例について説明した。この例以外にも、ＲＯＭ３９の内容を前記実施例２と同様にして求めても、前記実施例と同様の効果が得られる。以下、ＲＯＭ３９の内容を変更した場合の動作を図８を用いて説明する。ここで、色副搬送波周波数とサンプリング周波数の整数比がＭ：Ｎ＝４１：２３２のとき余弦波のＲＯＭテーブルを求めると、余弦波のＲＯＭテーブルを求める式、式（５）にＭ＝４１、Ｎ＝２３２を代入して、アドレスｙを０から２３１まで１ずつ順々に変えてｆｃ（ｙ）を求めると表８、表９および表Ａ１０のようになり、その値をＲＯＭ３９に記憶する。
【０１１０】
【表８】
0003611362.tif 000009
【０１１１】
【表９】
0003611362.tif 000010
【０１１２】
【表１０】
0003611362.tif 000011
【０１１３】
アドレス作成手段３５はサンプリング周波数に従って０から２３１まで１ずつ順に増加する余弦波用のアドレスを作成する。アドレス変換手段３６では余弦波用のアドレスＣａが５８（＝Ｎ／４）より小さいときは１７４（＝３Ｎ／４）を加算した値を正弦波用のアドレスＳａとして出力し、５８以上のときはアドレスＣａから５８を減算した値を正弦波用のアドレスＳａとして出力する。スイッチ３８ではサンプリング周波数の倍の周波数で余弦波用のアドレスＣａと正弦波用のアドレスＳａを切り替え、ＲＯＭ３９の読み出しアドレスとして出力する。ＲＯＭ３９から読み出しアドレスに基づいて色副搬送波周波数の余弦波の値と正弦波の値を交互に読み出す。スイッチ４０ではスイッチ３８の切り替えと同期してＲＯＭ３９からの余弦波と正弦波の値を振り分ける。積和演算器４ではスイッチ４０からの余弦波の値と入力Ｃｒ信号の値を掛算して得た値とスイッチ４０からの正弦波の値と入力Ｃｂ信号の値を掛算して得た値とをそれぞれ求めた後、２つの積の値を足し合わせ、変調色信号を作成する。このようにカラーエンコーダを構成したので、ＲＯＭの容量を半分にすることができる。また、アドレスを１づつ増加するようにしたので、前記実施例１２から１５に比べてアドレス作成手段の構成を簡単にできる。
【０１１４】
前記実施例では色副搬送波周波数が３．５７９５ＭＨｚ、サンプリング周波数が２０．２５ＭＨｚ  の場合について説明したが、この例以外にも、色副搬送波周波数とサンプリング周波数の整数比が略Ｍ：Ｎ（Ｎは４の倍数）となるサンプリング周波数ならば、どのようなサンプリング周波数であっても、前記実施例と同様に式（５）からアドレスｙを０からＮ−１まで１ずつ順に変えてｆｃ（ｙ）を求めてＲＯＭに記憶し、０からＮ−１まで１づつ変化する余弦波用のアドレスとそのアドレスがＮ／４より小さいときは（３／４）Ｎを加算し、Ｎ／４以上のときはＮ／４を減算して正弦波用のアドレスを作成するように構成すれば、前記実施例と同様の効果が得られる。
【０１１５】
実施例１７．
前記実施例では余弦波用のアドレスから正弦波用のアドレスを作成する例について示したが、この例以外にも、余弦波用のアドレスを０から、正弦波用のアドレスを１７４からそれぞれ１づつ増加させて作成するようにしてもよい。そのようにアドレスを作成するように構成した図９を用いて動作を説明する。ｃｏｓアドレス作成手段４１は電源投入時やリセットをかけたときなどにアドレスを０にセットした後、サンプリング周波数に従って１づつ増加する余弦波用のアドレスＣａを作成する。ｓｉｎアドレス作成手段４２も同様にしてリセット時に１７４にセットした後、サンプリング周波数に従って１づつ増加する正弦波用のアドレスＳａを作成する。以下、前記実施例１６と同様にして余弦波用、正弦波用のアドレスをスイッチ３８で交互に多重して、ＲＯＭ３９の読み出しアドレスとする。ＲＯＭ３９からの出力はスイッチ４０で余弦波と正弦波の値に振り分け、積和演算器４で入力Ｃｒ、Ｃｂ信号を積和演算して変調色信号を作成する。このようにカラーエンコーダを構成したので、ＲＯＭの容量を半分にすることができる。また、アドレスを１づつ増加するようにしたので、アドレス作成手段の構成を前記実施例１２から１５に比べて簡単にすることができる。
【０１１６】
前記実施例では電源投入時やリセットをかけたときなどに余弦波、正弦波用のアドレスをそれぞれ０、１７４にセットした例について示した。この例以外にも、リセットするアドレスをそれぞれＸｃ、Ｘｓとして、Ｘｃが５８より小さいときはＸｓをＸｓ＝Ｘｃ＋１７４とし、Ｘｃが５８以上のときはＸｓをＸｓ＝Ｘｃ−５８とすれば、前記実施例と同様の効果が得られる。
【０１１７】
また、前記実施例では色副搬送波周波数が３．５７９５ＭＨｚ、サンプリング周波数が２０．２５ＭＨｚ  の場合について説明したが、この例以外にも、色副搬送波周波数とサンプリング周波数の整数比が略Ｍ：Ｎ（Ｎは４の倍数）となるサンプリング周波数ならば、どのようなサンプリング周波数であっても、前記実施例と同様に式（５）からアドレスｙを０からＮ−１まで１ずつ順に変えてｆｃ（ｙ）を求めてＲＯＭに記憶し、リセットするアドレスをＸｃ、Ｘｓとして、ＸｃがＮ／４より小さいときはＸｓをＸｓ＝Ｘｃ＋（３／４）Ｎとし、ＸｃがＮ／４以上のときはＸｓをＸｓ＝Ｘｃ−Ｎ／４とし、余弦波、正弦波用のアドレスをリセットされたときそれぞれＸｃ、Ｘｓにセットした後、１づつ増加させて作成するように構成すれば、前記実施例と同様の効果が得られる。
【０１１８】
実施例１８．
前記実施例１６、１７ではＲＯＭ３９に前記実施例２と同様にして求めた余弦波のＲＯＭテーブルを記憶した例について説明した。この例以外にも、ＲＯＭ３９に前記実施例２と同様にして求めた正弦波のＲＯＭテーブルを記憶しても、前記実施例と同様の効果が得られる。図８に示す構成を用いて動作を説明する。また、正弦波のＲＯＭテーブルは式（６）からＭ＝４１、Ｎ＝２３２を代入して、アドレスｙを０から２３１まで変えて求めたｆｓ（ｙ）である。そのときのＲＯＭテーブルを表８、表９および表１０に示す。アドレス作成手段３５はサンプリング周波数に従って０から２３１まで１ずつ順に増加する正弦波用のアドレスＳａを作成する。アドレス変換手段３６では正弦波用のアドレスＳａが１７４（＝３Ｎ／４）以下のときは５８にアドレスＳａを加算した値を余弦波用のアドレスＣａとして出力し、１７４より大きいときはアドレスＳａから１７４を減算した値を余弦波用のアドレスＣａとして出力する。スイッチ３８ではサンプリング周波数の倍の周波数で余弦波用のアドレスと正弦波用のアドレスを切り替え、ＲＯＭ３９の読み出しアドレスとして出力する。ＲＯＭ３９から読み出しアドレスに基づいて色副搬送波周波数の余弦波の値と正弦波の値を交互に読み出す。スイッチ４０ではスイッチ３８の切り替えと同期してＲＯＭ３９からの余弦波と正弦波の値を振り分ける。積和演算器４ではスイッチ４０からの余弦波の値と入力Ｃｒ信号の値を掛算して得た値とスイッチ４９からの正弦波の値と入力Ｃｂ信号の値を掛算して得た値とをそれぞれ求めた後、２つの積の値を足し合わせ、変調色信号を作成する。このようにカラーエンコーダを構成したので、ＲＯＭの容量を半分にすることができる。また、アドレスを１づつ増加するようにしたので、前記実施例１２から１５に比べてアドレス作成手段の構成を簡単にすることができる。
【０１１９】
前記実施例では色副搬送波周波数が３．５７９５ＭＨｚ、サンプリング周波数が２０．２５ＭＨｚの場合について説明したが、この例以外にも、色副搬送波周波数とサンプリング周波数の整数比が略Ｍ：Ｎ（Ｎは４の倍数）となるサンプリング周波数ならば、どのようなサンプリング周波数であっても、前記実施例と同様にして式（６）からアドレスｙを０からＮ−１まで１ずつ順に変えてｆｓ（ｙ）を求めてＲＯＭに記憶し、０からＮ−１まで１づつ変化する正弦波用のアドレスとそのアドレスが（３／４）Ｎより小さいときはＮ／４を加算し、（３／４）Ｎ以上のときは（３／４）Ｎを減算して余弦波用のアドレスを作成するように構成すれば、前記実施例と同様の効果が得られる。
【０１２０】
実施例１９．
前記実施例では正弦波用のアドレスから余弦波用のアドレスを作成する例について示したが、この例以外にも、正弦波用のアドレスを０から、余弦波用のアドレスを５８からそれぞれ１づつ増加させて作成するようにしてもよい。そのようにアドレスを作成するように構成した図９を用いて動作を説明する。ｃｏｓアドレス作成手段４１は電源投入時やリセットをかけたときなどにアドレスを５８にセットした後、サンプリング周波数に従って１づつ増加する余弦波用のアドレスＣａを作成する。ｓｉｎアドレス作成手段４２も同様にしてリセット時に０にセットした後、サンプリング周波数に従って１づつ増加する正弦波用のアドレスＳａを作成する。以下、前記実施例１６と同様にして余弦波用、正弦波用のアドレスをスイッチ３８で交互に多重して、ＲＯＭ３９の読み出しアドレスとする。ＲＯＭ３９からの出力はスイッチ４０で余弦波と正弦波の値に振り分け、積和演算器４で入力Ｃｒ、Ｃｂ信号と積和演算して変調色信号を作成する。このようにカラーエンコーダを構成したので、ＲＯＭの容量を半分にすることができる。また、アドレスを１づつ増加するようにしたので、前記実施例１２から１５に比べてアドレス作成手段の構成を簡単にすることができる。
【０１２１】
前記実施例では電源投入時やリセットをかけたときなどに余弦波、正弦波用のアドレスをそれぞれ５８、０にセットした例について示した。この例以外にも、リセットするアドレスをそれぞれＸｃ、Ｘｓとして、Ｘｓが１７４以下のときはＸｃをＸｃ＝Ｘｓ＋５８とし、Ｘｓが１７４より大きいときはＸｃをＸｃ＝Ｘｓ−１７４とすれば、前記実施例と同様の効果が得られる。
【０１２２】
また、前記実施例では色副搬送波周波数が３．５７９５ＭＨｚ、サンプリング周波数が２０．２５ＭＨｚ  の場合について説明したが、この例以外にも、色副搬送波周波数とサンプリング周波数の整数比が略Ｍ：Ｎ（Ｎは４の倍数）となるサンプリング周波数ならば、どのようなサンプリング周波数であっても、前記実施例と同様に式（６）からアドレスｙを０からＮ−１まで１ずつ順に変えてｆｓ（ｙ）を求めてＲＯＭに記憶し、リセットするアドレスをＸｃ、Ｘｓとして、Ｘｓが（３／４）Ｎより小さいときはＸｃをＸｃ＝Ｘｓ＋Ｎ／４とし、Ｘｓが（３／４）Ｎ以上のときはＸｃをＸｃ＝Ｘｓ−（３／４）Ｎとし、余弦波、正弦波用のアドレスをリセットされたときそれぞれＸｃ、Ｘｓにセットした後、１づつ増加させて作成するように構成すれば、前記実施例と同様の効果が得られる。
【０１２３】
実施例２０．
前記実施例１２〜１９では余弦波または正弦波１周期をＮ等分した値をＲＯＭに記憶し読み出しアドレスを余弦波用、正弦波用と切り替えて１つのＲＯＭから余弦波と正弦波の値を読み出した例について示した。ここで、前記実施例３と同様にして余弦波は１／２周期の点で線対称という特性を利用してＲＯＭの容量を半分にした例について、その構成を示す図１０を用いて説明する。図１０において、４４は余弦波用のアドレスを作成するアドレス作成手段、４５は余弦波用のアドレスを正弦波用のアドレスに変換するｓｉｎアドレス変換手段、４６はスイッチ３８により余弦波用と正弦波用のアドレスが交互に多重されたアドレスを読み出しアドレスに変換するアドレス変換手段、４７はアドレス作成手段４４とｓｉｎアドレス変換手段４５とスイッチ３８とアドレス変換手段４６から構成された読み出しアドレス作成手段、４８は余弦波１周期を２３２等分した各値の内前半の（０番目からＮ／２番目までの）１１７（＝Ｎ／２＋１）個を記憶したＲＯＭである。ここで、前記実施例と同一の符号は同一または対応する部材を示す。また、色副搬送波周波数とサンプリング周波数は前記実施例と同一の周波数であり、その整数比は略４１：２３２とする。
【０１２４】
次に動作について説明する。アドレス作成手段４４は前記実施例１２と同様にしてサンプリング周波数に従って４１づつ増加する余弦波用のアドレスＣａを作成する。ｓｉｎアドレス変換手段４５ではアドレスＣａが５８（＝Ｎ／４）より小さいときは１７４（＝３Ｎ／４）にアドレスＣａを加算した値を正弦波用のアドレスＳａとして出力し、５８以上のときはアドレスＣａから５８を減算した値を正弦波用のアドレスＳａとして出力する。スイッチ３８ではサンプリング周波数の倍の周波数で余弦波用のアドレスと正弦波用のアドレスを切り替え、余弦波用と正弦波用のアドレスを交互に多重したアドレスを出力する。アドレス変換手段４６ではスイッチ３８からのアドレスが１１６（＝Ｎ／２）以下のときはそのまま読み出しアドレスとして出力し、１１６を超えるときは２３２からアドレスを減算した値を読み出しアドレスとして出力する。ＲＯＭ４８からアドレス変換手段４６で変換した読み出しアドレスに基づいて色副搬送波周波数の余弦波の値と正弦波の値を交互に読み出す。スイッチ４０ではスイッチ３８の切り替えと同期してＲＯＭ４８からの余弦波と正弦波の値を振り分ける。積和演算器４ではスイッチ４０からの余弦波の値と入力Ｃｒ信号の値を掛算して得た値とスイッチ４０からの正弦波の値と入力Ｃｂ信号の値を掛算して得た値とをそれぞれ求めた後、２つの積の値を足し合わせ、変調色信号を作成する。このようにカラーエンコーダを構成したので、ＲＯＭの容量を１／４にすることができる。
【０１２５】
次に上記の余弦波用のアドレスＣａと正弦波用のアドレスＳａとの関係について考察する。
（イ）  ０≦Ｃａ＜Ｎ／４のとき
ｓｉｎアドレス変換手段４５により正弦波用のアドレスＳａは、
Ｓａ＝Ｃａ＋３Ｎ／４
と変換される。０≦Ｃａ＜Ｎ／４より３Ｎ／４≦Ｓａ＜Ｎとなる。
スイッチ３８で余弦波用のアドレスと正弦波用のアドレスとを多重した後、アドレス変換手段４６により変換した余弦波用のアドレスをＣａ’、正弦波用のアドレスをＳａ’とすると、０≦Ｃａ＜Ｎ／４より、Ｃａ’＝Ｃａとなり、３Ｎ／４≦Ｓａ＜Ｎより、
0003611362.tif 000012
となる。ここでＣａ’は増加している。
（ロ）  Ｎ／４≦Ｃａ＜Ｎ／２のとき
ｓｉｎアドレス変換手段４５により正弦波用のアドレスＳａは
Ｓａ＝Ｃａ−Ｎ／４
と変換される。Ｎ／４≦Ｃａ＜Ｎ／２より、０≦Ｓａ＜Ｎ／４となる。
スイッチ３８で余弦波用のアドレスと正弦波用のアドレスとを多重した後、アドレス変換手段４６で、Ｎ／４≦Ｃａ＜Ｎ／２より、Ｃａ’＝Ｃａと変換し、０≦Ｓａ＜Ｎ／４より、
0003611362.tif 000013
と変換する。ここでＣａ’は増加している。
（ハ）  Ｎ／２≦Ｃａ＜３Ｎ／４のとき
ｓｉｎアドレス変換手段４５により正弦波用のアドレスＳａは
Ｓａ＝Ｃａ−Ｎ／４
と変換される。Ｎ／２≦Ｃａ＜３Ｎ／４より、Ｎ／４≦Ｓａ＜Ｎ／２となる。
スイッチ３８で余弦波用のアドレスと正弦波用のアドレスとを多重した後、アドレス変換手段４６で、Ｎ／２≦Ｃａ＜３Ｎ／４より、Ｃａ’＝Ｎ−Ｃａと変換し、Ｎ／４≦Ｓａ＜Ｎ／２より、
0003611362.tif 000014
と変換する。ここでＣａがＮ／２≦Ｃａ＜３Ｎ／４の範囲で変化し、Ｃａ’＝Ｎ−Ｃａの関係より、Ｃａ’はＮ／４＜Ｃａ’≦Ｎ／２の範囲で減少する。
（ニ）  ３Ｎ／４≦Ｃａ＜Ｎのとき
ｓｉｎアドレス変換手段４５により正弦波用のアドレスＳａは
Ｓａ＝Ｃａ−Ｎ／４
と変換される。３Ｎ／４≦Ｃａ＜Ｎ／より、Ｎ／２≦Ｓａ＜３Ｎ／４となる。
スイッチ３８で余弦波用のアドレスと正弦波用のアドレスとを多重した後、アドレス変換手段４６で、３Ｎ／４≦Ｃａ＜Ｎより、Ｃａ’＝Ｎ−Ｃａと変換し、Ｎ／２≦Ｓａ＜３Ｎ／４より、
0003611362.tif 000015
と変換される。ここでＣａが３Ｎ／４≦Ｃａ＜Ｎの範囲で変化し、Ｃａ’＝Ｎ−Ｃａの関係より、Ｃａ’は０＜Ｃａ’≦Ｎ／４の範囲で減少する。
【０１２６】
前記実施例では色副搬送波周波数が３．５７９５ＭＨｚ、サンプリング周波数が２０．２５ＭＨｚ  の場合について説明したが、この例以外にも、色副搬送波周波数とサンプリング周波数の整数比が略Ｍ：Ｎ（Ｎは４の倍数）となるサンプリング周波数ならば、どのようなサンプリング周波数であっても、前記実施例と同様に余弦波１周期をＮ等分した値をＮ／２＋１個ＲＯＭに記憶し、Ｍづつ変化する余弦波用のアドレスとそのアドレスがＮ／４より小さいときは（３／４）Ｎを加算し、Ｎ／４以上のときはＮ／４を減算して正弦波用のアドレスを作成し、サンプリング周波数の倍の周波数で交互に多重した後、Ｎ／２以下のときはそのまま読み出しアドレスとして出力し、Ｎ／２を超えるときはＮからアドレスを減算した値を読み出しアドレスとして出力するように構成すれば、同様の効果が得られる。
【０１２７】
実施例２１．
前記実施例では余弦波用のアドレスから正弦波用のアドレスを作成する例について示したが、この例以外にも、余弦波用のアドレスを０から、正弦波用のアドレスを１７４からそれぞれ４１づつ増加させて作成するようにしてもよい。そのようにアドレスを作成するように構成した例を示す図１１を用いて説明する。図１１において、４９は余弦波用のアドレスを作成するｃｏｓアドレス作成手段、５０は正弦波用のアドレスを作成するｓｉｎアドレス作成手段、５１はｃｏｓアドレス作成手段４９とｓｉｎアドレス作成手段５０とスイッチ３８とアドレス変換手段４６から構成された読み出しアドレス作成手段である。ここで、ＲＯＭ４８には前記実施例２０と同様の値を記憶する。
【０１２８】
次に動作について説明する。ｃｏｓアドレス作成手段４９は電源投入時やリセットをかけたときなどにアドレスを０にセットした後、サンプリング周波数に従って４１づつ増加する余弦波用のアドレスＣａを作成する。ｓｉｎアドレス作成手段５０も同様にしてリセット時に１７４にセットした後、サンプリング周波数に従って４１づつ増加する正弦波用のアドレスＳａを作成する。以下、前記実施例と同様にして余弦波用、正弦波用のアドレスをスイッチ３８で交互に多重して、アドレス変換手段４６で読み出しアドレスに変換する。ＲＯＭ４８からの出力をスイッチ４０で余弦波と正弦波の値に振り分け、積和演算器４で入力Ｃｒ、Ｃｂ信号と積和演算して変調色信号を作成する。このようにカラーエンコーダを構成したので、ＲＯＭの容量を１／４にすることができる。
【０１２９】
次に上記の余弦波用のアドレスＣａと正弦波用のアドレスＳａとの関係について考察する。
ｃｏｓアドレス作成手段４９は初期値０から４１づつ順に増加して余弦波用のアドレスＣａを作成するので、式で表わすと、
Ｃａ＝４１ｋ  ｍｏｄ  Ｎ
となる。ここで、ｋはサンプリングクロックに従って１づつ増加する数で、ｍｏｄ  ｘ  はｘで割った余りを求める演算である。ｓｉｎアドレス作成手段は、初期値３Ｎ／４から４１づつ順に増加して正弦波用のアドレスＳａを発生するので、式で表わすと、
Ｓａ＝｛（３Ｎ／４＋４１ｋ｝  ｍｏｄ  Ｎ
０≦Ｃａ＜Ｎ／４のときＳａ＝Ｃａ＋３Ｎ／４
の関係がある。Ｎ／４≦ＣａのときＳａはＮを超えるので、Ｎを引いて
Ｓａ＝３Ｎ／４＋４１ｋーＮ＝４１ｋーＮ／４
となり、Ｓａ＝ＣａーＮ／４の関係がある。
従って、ＣａとＳａとの関係は、
０≦Ｃａ＜Ｎ／４のときＳａ＝Ｃａ＋３Ｎ／４となり、
Ｎ／４≦ＣａのときＳａ＝ＣａーＮ／４となる。
【０１３０】
前記実施例では電源投入時やリセットをかけたときなどに余弦波、正弦波用のアドレスをそれぞれ０、１７４にセットした例について示した。この例以外にも、リセットするアドレスをそれぞれＸｃ、Ｘｓとして、Ｘｃが５８より小さいときはＸｓをＸｓ＝Ｘｃ＋１７４とし、Ｘｃが５８以上のときはＸｓをＸｓ＝Ｘｃ−５８とすれば、前記実施例と同様の効果が得られる。
【０１３１】
また、前記実施例では色副搬送波周波数が３．５７９５ＭＨｚ、サンプリング周波数が２０．２５ＭＨｚ  の場合について説明したが、この例以外にも、色副搬送波周波数とサンプリング周波数の整数比が略Ｍ：Ｎ（Ｎは４の倍数）となるサンプリング周波数ならば、どのようなサンプリング周波数であっても、前記実施例と同様に余弦波１周期をＮ等分した値をＮ／２＋１個ＲＯＭに記憶し、リセットするアドレスをＸｃ、Ｘｓとして、ＸｃがＮ／４より小さいときはＸｓをＸｓ＝Ｘｃ＋（３／４）Ｎとし、ＸｃがＮ／４以上のときはＸｓをＸｓ＝Ｘｃ−Ｎ／４とし、余弦波、正弦波用のアドレスをそれぞれＭづつ変化させて作成するように構成すれば、前記実施例と同様の効果が得られる。
【０１３２】
実施例２２．
前記実施例２０、２１では余弦波１周期を２３２等分した前半の１１７個をＲＯＭ４８に記憶し４０おきに読み出した例について説明した。この例以外にも、前記実施例１６で求めた余弦波のＲＯＭテーブルの前半のみを利用するようにしても同様の効果が得られる。図１０に示す構成を用いて動作を説明する。アドレス作成手段４４は０から２３１まで１ずつ順に増加するアドレスＣａを作成する。ｓｉｎアドレス変換手段４５では、アドレスＣａが５８より小さいときは１７４にアドレスＣａを加算した値を正弦波用のアドレスＳａとして出力し、５８以上のときはアドレスＣａから５８を減算した値を正弦波用のアドレスＳａとして出力する。スイッチ３８ではサンプリング周波数の倍の周波数で余弦波用のアドレスと正弦波用のアドレスを切り替え、余弦波用と正弦波用のアドレスを交互に多重したアドレスを出力する。
【０１３３】
アドレス変換手段４６ではスイッチ３８からのアドレスが１１６以下のときはそのまま読み出しアドレスとして出力し、１１６を超えるときは２３２からアドレスを減算した値を読み出しアドレスとして出力する。ＲＯＭ４８からアドレス変換手段４６で変換した読み出しアドレスに基づいて色副搬送波周波数の余弦波の値と正弦波の値を交互に読み出す。スイッチ４０ではスイッチ３８の切り替えと同期してＲＯＭ４８からの余弦波と正弦波の値を振り分ける。積和演算器４ではスイッチ４０からの余弦波の値と入力Ｃｒ信号の値を掛算して得た値とスイッチ４０からの正弦波の値と入力Ｃｂ信号の値を掛算して得た値とをそれぞれ求めた後、２つの積の値を足し合わせ、変調色信号を作成する。このようにカラーエンコーダを構成したので、ＲＯＭの容量を１／４にすることができる。また、アドレスを１づつ増加するようにしたので、アドレス作成手段の構成を前記実施例２０、２１に比べて簡単にすることができる。
上記の余弦波用のアドレスＣａと正弦波用のアドレスＳａとの関係は、実施例２０について述べたのと同様である。
【０１３４】
前記実施例では色副搬送波周波数が３．５７９５ＭＨｚ、サンプリング周波数が２０．２５ＭＨｚ  の場合について説明したが、この例以外にも、色副搬送波周波数とサンプリング周波数の整数比が略Ｍ：Ｎ（Ｎは４の倍数）となるサンプリング周波数ならば、どのようなサンプリング周波数であっても、前記実施例と同様に式（５）からアドレスｙを０からＮ／２＋１まで１ずつ順に変えて  ｆｃ（ｙ）を求めてＲＯＭに記憶し、０からＮ−１まで１づつ変化する余弦波用のアドレスとそのアドレスがＮ／４より小さいときは（３／４）Ｎを加算し、Ｎ／４以上のときはＮ／４を減算して正弦波用のアドレスを作成し、サンプリング周波数の倍の周波数で交互に多重した後、Ｎ／２以下のときはそのまま読み出しアドレスとして出力し、Ｎ／２を超えるときはＮからアドレスを引いた値を読み出しアドレスとして出力するように構成すれば、前記実施例と同様の効果が得られる。
【０１３５】
実施例２３．
前記実施例では余弦波用のアドレスから正弦波用のアドレスを作成する例について示したが、この例以外にも、余弦波用のアドレスを０から、正弦波用のアドレスを１７４からそれぞれ１づつ増加させて作成するようにしてもよい。そのようにアドレスを作成するように構成した例を示す図１１を用いて動作を説明する。ｃｏｓアドレス作成手段４９は電源投入時やリセットをかけたときなどにアドレスを０にセットした後、サンプリング周波数に従って１づつ増加する余弦波用のアドレスＣａを作成する。ｓｉｎアドレス作成手段５０も同様にしてリセット時に１７４にセットした後、サンプリング周波数に従って１づつ増加する正弦波用のアドレスＳａを作成する。以下、前記実施例と同様にして余弦波用、正弦波用のアドレスをスイッチ３８で交互に多重して、アドレス変換手段４６で読み出しアドレスに変換する。ＲＯＭ４８からの出力をスイッチ４０で余弦波と正弦波の値に振り分け、積和演算器４で入力Ｃｒ、Ｃｂ信号と積和演算して変調色信号を作成する。このようにカラーエンコーダを構成したので、ＲＯＭの容量を１／４にすることができる。また、アドレスを１づつ増加するようにしたので、前記実施例２０、２１に比べてアドレス作成手段の構成を簡単にすることができる。上記の余弦波用のアドレスＣａと正弦波用のアドレスＳａとの関係は、実施例２１について述べたのと同様である。
【０１３６】
前記実施例では電源投入時やリセットをかけたときなどに余弦波、正弦波用のアドレスをそれぞれ０、１７４にセットした例について示した。この例以外にも、リセットするアドレスをそれぞれＸｃ、Ｘｓとして、Ｘｃが５８より小さいときはＸｓをＸｓ＝Ｘｃ＋１７４とし、Ｘｃが５８以上のときはＸｓをＸｓ＝Ｘｃ−５８とすれば、前記実施例と同様の効果が得られる。
【０１３７】
また、前記実施例では色副搬送波周波数が３．５７９５ＭＨｚ、サンプリング周波数が２０．２５ＭＨｚ  の場合について説明したが、この例以外にも、色副搬送波周波数とサンプリング周波数の整数比が略Ｍ：Ｎ（Ｎは４の倍数）となるサンプリング周波数ならば、どのようなサンプリング周波数であっても、前記実施例と同様に式（５）からアドレスｙを０からＮ／２まで１ずつ順に変えて求めたｆｃ（ｙ）の値をＮ／２＋１個ＲＯＭに記憶し、リセットするアドレスをＸｃ、Ｘｓとして、ＸｃがＮ／４より小さいときはＸｓをＸｓ＝Ｘｃ＋（３／４）Ｎとし、ＸｃがＮ／４以上のときはＸｓをＸｓ＝Ｘｃ−Ｎ／４とし、余弦波、正弦波用のアドレスをそれぞれＸｃ、Ｘｓから１づつ変化させて作成するように構成すれば、前記実施例と同様の効果が得られる。
【０１３８】
実施例２４．
前記実施例２０〜２３では余弦波の１／２周期の点で線対称の特性を利用してＲＯＭの容量を半分にした例について示した。ここで、前記実施例６と同様にして、余弦波は半周期の前半部の正負を反転した値が後半部となる特性を利用してＲＯＭの容量を半分にした例について、その構成を示す図１２を用いて動作を説明する。図１２において、５２は余弦波用のアドレスを作成するアドレス作成手段、５３は余弦波用のアドレスを正弦波用のアドレスに変換するｓｉｎアドレス変換手段、５４はスイッチ３８により余弦波用と正弦波用のアドレスが交互に多重されたアドレスを読み出しアドレスに変換するアドレス変換手段、５５はスイッチ３８からの余弦波用、正弦波用のアドレスを多重した出力に基づいて反転制御信号を出力する反転制御手段、５６はアドレス作成手段５２とｓｉｎアドレス変換手段５３とアドレス変換手段５４と反転制御手段５５とスイッチ３８から構成された読み出しアドレス作成手段、５７は余弦波１周期を２３２等分した各値の内前半の１１６個を記憶したＲＯＭである。ここで、前記実施例と同一の符号は同一または対応する部材を示す。また、色副搬送波周波数とサンプリング周波数は前記実施例と同一の周波数であり、その整数比は略４１：２３２とする。
【０１３９】
次に動作について説明する。アドレス作成手段５２は前記実施例１２と同様にしてサンプリング周波数に従って４１づつ増加する余弦波用のアドレスＣａを作成する。ｓｉｎアドレス変換手段５２では、アドレスＣａが５８（＝Ｎ／４）より小さいときは１７４（＝３Ｎ／４）にアドレスＣａを加算した値を正弦波用のアドレスＳａとして出力し、５８以上のときはアドレスＣａから５８を減算した値を正弦波用のアドレスＳａとして出力する。スイッチ３８ではサンプリング周波数の倍の周波数で余弦波用のアドレスと正弦波用のアドレスを切り替え、余弦波用と正弦波用のアドレスを交互に多重したアドレスを出力する。アドレス変換手段５４ではスイッチ３８からのアドレスが１１６（＝Ｎ／２）より小さいときはそのまま読み出しアドレスとして出力し、１１６以上のときは１１６からアドレスを減算した値を読み出しアドレスとして出力する。
【０１４０】
反転制御手段５５ではスイッチ３８からの余弦波用と正弦波用のアドレスが多重された出力の値が１１６以上のときは正負反転手段２１、２２に正負の反転を指示し、１１６より小さいときはそのまま出力するように指示する反転制御信号を出力する。ＲＯＭ５７からアドレス変換手段５４で変換した読み出しアドレスに基づいて色副搬送波周波数の余弦波の値と正弦波の値を交互に読み出す。スイッチ４０ではスイッチ３８の切り替えと同期してＲＯＭ５７からの余弦波と正弦波の値を振り分ける。余弦波の値は反転制御信号が正負の反転を指示しているときは正負反転手段２１で正負を反転し、正負の反転を指示していないときはそのまま出力する。正弦波の値も同様にして反転制御信号に従って正負反転手段２２で正負を反転する。積和演算器４では正負反転手段２１からの余弦波の値と入力Ｃｒ信号の値を掛算して得た値と正負反転手段２２からの正弦波の値と入力Ｃｂ信号の値を掛算して得た値とをそれぞれ求めた後、２つの積の値を足し合わせ、変調色信号を作成する。このようにカラーエンコーダを構成したので、ＲＯＭの容量を１／４にすることができる。
【０１４１】
前記実施例では色副搬送波周波数が３．５７９５ＭＨｚ、サンプリング周波数が２０．２５ＭＨｚ  の場合について説明したが、この例以外にも、色副搬送波周波数とサンプリング周波数の整数比が略Ｍ：Ｎ（Ｎは４の倍数）となるサンプリング周波数ならば、どのようなサンプリング周波数であっても、前記実施例と同様に余弦波１周期をＮ等分した値をＮ／２個ＲＯＭに記憶し、Ｍづつ変化する余弦波用のアドレスとそのアドレスがＮ／４より小さいときは（３／４）Ｎを加算し、Ｎ／４以上のときはＮ／４を減算して正弦波用のアドレスを作成し、サンプリング周波数の倍の周波数で交互に多重した後、Ｎ／２より小さいときはそのまま読み出しアドレスとして出力し、Ｎ／２以上のときはアドレスからＮ／２を減算した値を読み出しアドレスとして出力するように構成すれば、同様の効果が得られる。
【０１４２】
実施例２５．
前記実施例では余弦波用のアドレスから正弦波用のアドレスを作成する例について示したが、この例以外にも、余弦波用のアドレスを０から、正弦波用のアドレスを１７４からそれぞれ４１づつ増加させて作成するようにしてもよい。そのようにアドレスを作成するように構成した例を示す図１３を用いて説明する。図１３において、５８は余弦波用のアドレスを作成するｃｏｓアドレス作成手段、５９は正弦波用のアドレスを作成するｓｉｎアドレス作成手段、６０はｃｏｓアドレス作成手段５８とｓｉｎアドレス作成手段５９とスイッチ３８とアドレス変換手段５４と反転制御手段５５から構成された読み出しアドレス作成手段である。ここで、ＲＯＭ５７には前記実施例２４と同様の値を記憶する。
【０１４３】
次に動作について説明する。ｃｏｓアドレス作成手段５８は電源投入時やリセットをかけたときなどにアドレスを０にセットした後、サンプリング周波数に従って４１づつ増加する余弦波用のアドレスＣａを作成する。ｓｉｎアドレス作成手段５９も同様にしてリセット時に１７４にセットした後、サンプリング周波数に従って４１づつ増加する正弦波用のアドレスＳａを作成する。以下、前記実施例と同様にして余弦波用、正弦波用のアドレスをスイッチ３８で交互に多重して、アドレス変換手段５４で読み出しアドレスに変換する。反転制御手段５５で反転制御信号を出力する。ＲＯＭ５７からの出力をスイッチ４０で余弦波と正弦波の値に振り分け、反転制御信号に従って正負反転手段２１、２２により正負を反転し、積和演算器４で入力Ｃｒ、Ｃｂ信号と積和演算して変調色信号を作成する。このようにカラーエンコーダを構成したので、ＲＯＭの容量を１／４にすることができる。
【０１４４】
前記実施例では電源投入時やリセットをかけたときなどに余弦波、正弦波用のアドレスをそれぞれ０、１７４にセットした例について示した。この例以外にも、リセットするアドレスをそれぞれＸｃ、Ｘｓとして、Ｘｃが５８より小さいときはＸｓをＸｓ＝Ｘｃ＋１７４とし、Ｘｃが５８以上のときはＸｓをＸｓ＝Ｘｃ−５８とすれば、前記実施例と同様の効果が得られる。
【０１４５】
また、前記実施例では色副搬送波周波数が３．５７９５ＭＨｚ、サンプリング周波数が２０．２５ＭＨｚ  の場合について説明したが、この例以外にも、色副搬送波周波数とサンプリング周波数の整数比が略Ｍ：Ｎ（Ｎは４の倍数）となるサンプリング周波数ならば、どのようなサンプリング周波数であっても、前記実施例と同様に余弦波１周期をＮ等分した値をＮ／２個ＲＯＭに記憶し、リセットするアドレスをＸｃ、Ｘｓとして、ＸｃがＮ／４より小さいときはＸｓをＸｓ＝Ｘｃ＋（３／４）Ｎとし、ＸｃがＮ／４以上のときはＸｓをＸｓ＝Ｘｃ−Ｎ／４とし、余弦波、正弦波用のアドレスをそれぞれＭづつ変化させて作成するように構成すれば、前記実施例と同様の効果が得られる。
【０１４６】
実施例２６．
前記実施例２４、２５ではＲＯＭ５７に余弦波１周期をＮ等分した前半のＮ／２個を記憶した例について説明した。この例以外にも、ＲＯＭ５７に正弦波１周期をＮ等分した前半のＮ／２個を記憶するようにしてもよい。そのときの構成を図１４に示す。図１４において、６１は正弦波用のアドレスを作成するアドレス作成手段、６２は正弦波用のアドレスを余弦波用のアドレスに変換するｃｏｓアドレス変換手段、６３はアドレス作成手段６１とｃｏｓアドレス変換手段６２とスイッチ３８とアドレス変換手段５４と反転制御手段５５から構成された読み出しアドレス作成手段である。また、正弦波１周期を２３２等分した前半の１１６個をＲＯＭ５７に記憶する。
【０１４７】
次に動作について説明する。アドレス作成手段６１は前記実施例２４と同様にしてサンプリング周波数に従って４１づつ増加する正弦波用のアドレスＳａを作成する。ｃｏｓアドレス変換手段６２では正弦波用のアドレスＳａが１７４（＝３Ｎ／４）以下のときはアドレスＳａに５８（＝Ｎ／４）を加算した値を余弦波用のアドレスＣａとして出力し、１７４（＝３Ｎ／４）より大きいときはアドレスＳａから１７４（＝３Ｎ／４）を減算した値を余弦波用のアドレスＣａとして出力する。以下、前記実施例２４と同様にして余弦波用、正弦波用のアドレスをスイッチ３８で交互に多重して、アドレス変換手段５４で読み出しアドレスに変換する。反転制御手段５５で反転制御信号を出力する。ＲＯＭ５７からの出力をスイッチ４０で余弦波と正弦波の値に振り分け、反転制御信号に従って正負反転手段２１、２２により正負を反転し、積和演算器４で入力Ｃｒ、Ｃｂ信号と積和演算して変調色信号を作成する。このようにカラーエンコーダを構成したので、ＲＯＭの容量を１／４にすることができる。
【０１４８】
次に上記の余弦波用のアドレスＣａと正弦波用のアドレスＳａとの関係について考察する。
アドレス作成手段６１は、４１づつ増加する正弦波用のアドレスＳａを作成する。
（イ）  ０≦Ｓａ＜Ｎ／４のとき
ｃｏｓアドレス変換手段６２により余弦波用のアドレスＣａは、
Ｃａ＝Ｃａ＋Ｎ／４
と変換される。０≦Ｓａ＜Ｎ／４よりＮ／４≦Ｃａ＜Ｎ／２となる。
スイッチ３８で余弦波用のアドレスと正弦波用のアドレスとを多重した後、アドレス変換手段５４により変換した余弦波用のアドレスをＣａ’、正弦波用のアドレスをＳａ’とすると、０≦Ｓａ＜Ｎ／４より、Ｓａ’＝Ｓａとなり、Ｎ／４≦Ｃａ＜Ｎ／２より、
Ｃａ’＝Ｓａ＋Ｎ／４
となる。
（ロ）  Ｎ／４≦Ｓａ＜Ｎ／２のとき
ｃｏｓアドレス変換手段６２により余弦波用のアドレスＣａは
Ｃａ＝Ｓａ＋Ｎ／４
と変換される。Ｎ／４≦Ｓａ＜Ｎ／２より、Ｎ／２≦Ｃａ＜３Ｎ／４となる。
スイッチ３８で余弦波用のアドレスと正弦波用のアドレスとを多重した後、アドレス変換手段５４で、Ｎ／４≦Ｓａ＜Ｎ／２より、Ｓａ’＝Ｓａと変換し、Ｎ／２≦Ｃａ＜３Ｎ／４より、
0003611362.tif 000016
と変換する。
（ハ）  Ｎ／２≦Ｓａ＜３Ｎ／４のとき
ｃｏｓアドレス変換手段６２により余弦波用のアドレスＣａは
Ｃａ＝Ｓａ＋Ｎ／４
と変換される。Ｎ／２≦Ｓａ＜３Ｎ／４より、３Ｎ／４≦Ｃａ＜Ｎとなる。
スイッチ３８で余弦波用のアドレスと正弦波用のアドレスとを多重した後、アドレス変換手段５４で、Ｎ／２≦Ｓａ＜３Ｎ／４より、Ｓａ’＝Ｓａ−Ｎ／２と変換し、３Ｎ／４≦Ｃａ＜Ｎより、
0003611362.tif 000017
と変換する。ここでＳａがＮ／２≦Ｓａ＜３Ｎ／４の範囲で変化し、Ｓａ’＝Ｓａ−Ｎ／２の関係より、Ｓａ’は０≦Ｓａ’≦Ｎ／４の範囲となる。
（ニ）  ３Ｎ／４≦Ｓａ＜Ｎのとき
ｃｏｓアドレス変換手段６２により余弦波用のアドレスＣａは
Ｃａ＝Ｓａー３Ｎ／４
と変換される。３Ｎ／４≦Ｓａ＜Ｎ／より、０≦Ｃａ＜Ｎ／４となる。
スイッチ３８で余弦波用のアドレスと正弦波用のアドレスとを多重した後、アドレス変換手段５４で、３Ｎ／４≦Ｓａ＜Ｎより、Ｓａ’＝Ｓａ−Ｎ／２と変換し、０≦Ｃａ＜Ｎ／４より、
0003611362.tif 000018
と変換される。ここでＳａが３Ｎ／４≦Ｓａ＜Ｎの範囲で変化するとき、Ｓａ’＝Ｓａ−Ｎ／２の関係より、Ｓａ’はＮ／４＜Ｃａ’≦Ｎ／２の範囲で変化する。
【０１４９】
前記実施例では色副搬送波周波数が３．５７９５ＭＨｚ、サンプリング周波数が２０．２５ＭＨｚ  の場合について説明したが、この例以外にも、色副搬送波周波数とサンプリング周波数の整数比が略Ｍ：Ｎ（Ｎは４の倍数）となるサンプリング周波数ならば、どのようなサンプリング周波数であっても、前記実施例と同様に正弦波１周期をＮ等分した値をＮ／２個ＲＯＭに記憶し、Ｍづつ変化する正弦波用のアドレスとそのアドレスが（３／４）Ｎ以下のときはＮ／４を加算し、（３／４）Ｎより大きいときは（３／４）Ｎを減算して余弦波用のアドレスを作成し、サンプリング周波数の倍の周波数で交互に多重した後、Ｎ／２以下のときはそのまま読み出しアドレスとして出力し、Ｎ／２を超えるときはアドレスからＮ／２を減算した値を読み出しアドレスとして出力するように構成すれば、同様の効果が得られる。
【０１５０】
実施例２７．
前記実施例では正弦波用のアドレスから余弦波用のアドレスを作成する例について示したが、この例以外にも、正弦波用のアドレスを０から、余弦波用のアドレスを５８からそれぞれ４１づつ増加させて作成するようにしてもよい。そのようにアドレスを作成するように構成した図１３を用いて動作を説明する。ｃｏｓアドレス作成手段５８は電源投入時やリセットをかけたときなどにアドレスを５８にセットした後、サンプリング周波数に従って４１づつ増加する余弦波用のアドレスＣａを作成する。ｓｉｎアドレス作成手段５９も同様にしてリセット時に０にセットした後、サンプリング周波数に従って４１づつ増加する正弦波用のアドレスＳａを作成する。以下、前記実施例２４と同様にして余弦波用、正弦波用のアドレスをスイッチ３８で交互に多重して、アドレス変換手段５４で読み出しアドレスに変換する。反転制御手段５５で反転制御信号を出力する。ＲＯＭ５７からの出力をスイッチ４０で余弦波と正弦波の値に振り分け、反転制御信号に従って正負反転手段２１、２２により正負を反転し、積和演算器４で入力Ｃｒ、Ｃｂ信号と積和演算して変調色信号を作成する。このようにカラーエンコーダを構成したので、ＲＯＭの容量を１／４にすることができる。
【０１５１】
前記実施例では電源投入時やリセットをかけたときなどに余弦波、正弦波用のアドレスをそれぞれ５８、０にセットした例について示した。この例以外にも、リセットするアドレスをそれぞれＸｃ、Ｘｓとして、Ｘｓが１７４以下のときはＸｃをＸｃ＝Ｘｓ＋５８とし、Ｘｓが１７４より大きいときはＸｃをＸｃ＝Ｘｓ−１７４とすれば、前記実施例と同様の効果が得られる。
【０１５２】
また、前記実施例では色副搬送波周波数が３．５７９５ＭＨｚ、サンプリング周波数が２０．２５ＭＨｚ  の場合について説明したが、この例以外にも、色副搬送波周波数とサンプリング周波数の整数比が略Ｍ：Ｎ（Ｎは４の倍数）となるサンプリング周波数ならば、どのようなサンプリング周波数であっても、前記実施例と同様に正弦波１周期をＮ等分した値をＮ／２個ＲＯＭに記憶し、リセットするアドレスをＸｃ、Ｘｓとして、Ｘｓが（３／４）Ｎ以下のときはＸｃをＸｃ＝Ｘｓ＋Ｎ／４とし、Ｘｓが（３／４）Ｎより大きいときはＸｃをＸｃ＝Ｘｓ−（３／４）Ｎとし、余弦波、正弦波用のアドレスをそれぞれＭづつ変化させて作成するように構成すれば、前記実施例と同様の効果が得られる。
【０１５３】
実施例２８．
前記実施例２４〜２７では余弦波または正弦波１周期を２３２等分した前半の１１６個をＲＯＭ５７に記憶し、４０おきに読み出した例について説明した。この例以外にも、前記実施例１６で求めた余弦波のＲＯＭテーブルの前半のみを利用するようにしても同様の効果が得られる。図１２に示す構成を用いて動作を説明する。アドレス作成手段５２はサンプリング周波数に従って０から２３１まで１ずつ順に増加する余弦波用のアドレスＣａを作成する。ｓｉｎアドレス変換手段５２では、アドレスＣａが５８より小さいときは１７４にアドレスＣａを加算した値を正弦波用のアドレスＳａとして出力し、５８以上のときはアドレスＣａから５８を減算した値を正弦波用のアドレスＳａとして出力する。スイッチ３８ではサンプリング周波数の倍の周波数で余弦波用のアドレスと正弦波用のアドレスを切り替え、余弦波用と正弦波用のアドレスを交互に多重したアドレスを出力する。アドレス変換手段５４ではスイッチ３８からのアドレスが１１６より小さいときはそのまま読み出しアドレスとして出力し、１１６以上のときは１１６からアドレスを減算した値を読み出しアドレスとして出力する。
【０１５４】
反転制御手段５５ではスイッチ３８からの余弦波用と正弦波用のアドレスが多重された出力の値が１１６以上のときは正負反転手段２１、２２に正負の反転を指示し、１１６より小さいときはそのまま出力するように指示する反転制御信号を出力する。ＲＯＭ５７からアドレス変換手段５４で変換した読み出しアドレスに基づいて色副搬送波周波数の余弦波の値と正弦波の値を交互に読み出す。スイッチ４０ではスイッチ３８の切り替えと同期してＲＯＭ５７からの余弦波と正弦波の値を振り分ける。余弦波の値は反転制御信号が正負の反転を指示しているときは正負反転手段２１で正負を反転し、正負の反転を指示していないときはそのまま出力する。正弦波の値も同様にして反転制御信号に従って正負反転手段２２で正負を反転する。積和演算器４では正負反転手段２１からの余弦波の値と入力Ｃｒ信号の値を掛算して得た値と正負反転手段２２からの正弦波の値と入力Ｃｂ信号の値を掛算して得た値とをそれぞれ求めた後、２つの積の値を足し合わせ、変調色信号を作成する。このようにカラーエンコーダを構成したので、ＲＯＭの容量を１／４にすることができる。また、アドレスを１づつ増加するようにしたので、前記実施例２４から２７に比べてアドレス作成手段の構成を簡単にすることができる。
【０１５５】
前記実施例では色副搬送波周波数が３．５７９５ＭＨｚ、サンプリング周波数が２０．２５ＭＨｚ  の場合について説明したが、この例以外にも、色副搬送波周波数とサンプリング周波数の整数比が略Ｍ：Ｎ（Ｎは４の倍数）となるサンプリング周波数ならば、どのようなサンプリング周波数であっても、前記実施例と同様に式（５）からアドレスｙを０からＮ／２まで１ずつ順に変えてｆｃ（ｙ）を求めてＲＯＭに記憶し、０からＮ−１まで１づつ変化する余弦波用のアドレスとそのアドレスがＮ／４より小さいときは（３／４）Ｎを加算し、Ｎ／４以上のときはＮ／４を減算して正弦波用のアドレスを作成し、サンプリング周波数の倍の周波数で交互に多重した後、Ｎ／２より小さいときはそのまま読み出しアドレスとして出力し、Ｎ／２以上のときはアドレスからＮ／２を引いた値を読み出しアドレスとして出力するように構成すれば同様の効果が得られる。
【０１５６】
実施例２９．
前記実施例では余弦波用のアドレスから正弦波用のアドレスを作成する例について示したが、この例以外にも、余弦波用のアドレスを０から、正弦波用のアドレスを１７４からそれぞれ１づつ増加させて作成するようにしてもよい。そのようにアドレスを作成するように構成した例を示す図１３を用いて動作を説明する。ｃｏｓアドレス作成手段５８は電源投入時やリセットをかけたときなどにアドレスを０にセットした後、サンプリング周波数に従って１づつ増加する余弦波用のアドレスＣａを作成する。ｓｉｎアドレス作成手段５９も同様にしてリセット時に１７４にセットした後、サンプリング周波数に従って１づつ増加する正弦波用のアドレスＳａを作成する。以下、前記実施例と同様にして余弦波用、正弦波用のアドレスをスイッチ３８で交互に多重して、アドレス変換手段５４で読み出しアドレスに変換し、反転制御手段５５で反転制御信号を出力する。ＲＯＭ５７からの出力をスイッチ４０で余弦波と正弦波の値に振り分け、反転制御信号に従って正負反転手段２１、２２により正負を反転し、積和演算器４で入力Ｃｒ、Ｃｂ信号と積和演算して変調色信号を作成する。このようにカラーエンコーダを構成したので、ＲＯＭの容量を１／４にすることができる。また、アドレスを１づつ増加するようにしたので、前記実施例２４から２７に比べてアドレス作成手段の構成を簡単にすることができる。
【０１５７】
前記実施例では電源投入時やリセットをかけたときなどに余弦波、正弦波用のアドレスをそれぞれ０、１７４にセットした例について示した。この例以外にも、リセットするアドレスをそれぞれＸｃ、Ｘｓとするとき、Ｘｃが５８より小さいときはＸｓをＸｓ＝Ｘｃ＋１７４とし、Ｘｃが５８以上のときはＸｓをＸｓ＝Ｘｃ−５８とすれば、前記実施例と同様の効果が得られる。
【０１５８】
また、前記実施例では色副搬送波周波数が３．５７９５ＭＨｚ、サンプリング周波数が２０．２５ＭＨｚ  の場合について説明したが、この例以外にも、色副搬送波周波数とサンプリング周波数の整数比が略Ｍ：Ｎ（Ｎは４の倍数）となるサンプリング周波数ならば、どのようなサンプリング周波数であっても、前記実施例と同様に式（５）からアドレスｙを０からＮ／２−１まで１ずつ順に変えて求めたｆｃ（ｙ）の値をＲＯＭに記憶し、リセットするアドレスをＸｃ、Ｘｓとして、ＸｃがＮ／４より小さいときはＸｓをＸｓ＝Ｘｃ＋（３／４）Ｎとし、ＸｃがＮ／４以上のときはＸｓをＸｓ＝Ｘｃ−Ｎ／４とし、余弦波、正弦波用のアドレスをそれぞれＸｃ、Ｘｓから１づつ変化させて作成するように構成すれば、前記実施例と同様の効果が得られる。
【０１５９】
実施例３０．
前記実施例２８、２９ではＲＯＭ５７に、前記実施例１６で求めた余弦波のＲＯＭテーブルの前半のみを記憶するようにした例について説明した。この例以外にも、前記実施例１８で求めた正弦波のＲＯＭテーブルの前半のみを利用するようにしても同様の効果が得られる。図１４に示す構成を用いて動作を説明する。アドレス作成手段６１はサンプリング周波数に従って０から２３１まで１ずつ順に増加する正弦波用のアドレスＳａを作成する。ｃｏｓアドレス変換手段６２では、正弦波用のアドレスＳａが１７４以下のときはアドレスＳａに５８を加算した値を余弦波用のアドレスＣａとして出力し、１７４より大きいときはアドレスＳａから１７４を減算した値を余弦波用のアドレスＣａとして出力する。以下、前記実施例２４と同様にして余弦波用、正弦波用のアドレスをスイッチ３８で交互に多重して、アドレス変換手段５４で読み出しアドレスに変換する。反転制御手段５５で反転制御信号を出力する。ＲＯＭ５７からの出力をスイッチ４０で余弦波と正弦波の値に振り分け、反転制御信号に従って正負反転手段２１、２２により正負を反転し、積和演算器４で入力Ｃｒ、Ｃｂ信号と積和演算して変調色信号を作成する。このようにカラーエンコーダを構成したので、ＲＯＭの容量を１／４にすることができる。また、アドレスを１づつ増加するようにしたので、前記実施例２４から２７に比べてアドレス作成手段の構成を簡単にすることができる。
上記の余弦波用のアドレスＣａと正弦波用のアドレスＳａとの関係は、実施例２６について述べたのと同様である。
【０１６０】
前記実施例では色副搬送波周波数が３．５７９５ＭＨｚ、サンプリング周波数が２０．２５ＭＨｚ  の場合について説明したが、この例以外にも、色副搬送波周波数とサンプリング周波数の整数比が略Ｍ：Ｎ（Ｎは４の倍数）となるサンプリング周波数ならば、どのようなサンプリング周波数であっても、前記実施例と同様に式（６）からアドレスｙを０からＮ／２−１まで１ずつ順に変えて求めたｆｓ（ｙ）の値をＮ／２個ＲＯＭに記憶し、０から２３１まで１づつ増加する正弦波用のアドレスとそのアドレスが（３／４）Ｎ以下のときはＮ／４を加算し、（３／４）Ｎより大きいときは（３／４）Ｎを減算して正弦波用のアドレスを作成し、サンプリング周波数の倍の周波数で交互に多重した後、Ｎ／２より小さいときはそのまま読み出しアドレスとして出力し、Ｎ／２以上のときはアドレスからＮ／２を減算した値を読み出しアドレスとして出力するように構成すれば、同様の効果が得られる。
【０１６１】
実施例３１．
前記実施例では正弦波用のアドレスから余弦波用のアドレスを作成する例について示したが、この例以外にも、正弦波用のアドレスを０から、余弦波用のアドレスを５８からそれぞれ１づつ増加させて作成するようにしてもよい。そのようにアドレスを作成するように構成した図１３を用いて動作を説明する。ｃｏｓアドレス作成手段５８は電源投入時やリセットをかけたときなどにアドレスを５８にセットした後、サンプリング周波数に従って１づつ増加する余弦波用のアドレスＣａを作成する。ｓｉｎアドレス作成手段５９も同様にしてリセット時に０にセットした後、サンプリング周波数に従って１づつ増加する正弦波用のアドレスＳａを作成する。以下、前記実施例２４と同様にして余弦波用、正弦波用のアドレスをスイッチ３８で交互に多重して、アドレス変換手段５４で読み出しアドレスに変換する。反転制御手段５５で反転制御信号を出力する。ＲＯＭ５７からの出力をスイッチ４０で余弦波と正弦波の値に振り分け、反転制御信号に従って正負反転手段２１、２２により正負を反転し、積和演算器４で入力Ｃｒ、Ｃｂ信号と積和演算して変調色信号を作成する。このようにカラーエンコーダを構成したので、ＲＯＭの容量を１／４にすることができる。また、アドレスを１づつ増加するようにしたので、前記実施例２４から２７に比べてアドレス作成手段の構成を簡単にすることができる。
【０１６２】
前記実施例では電源投入時やリセットをかけたときなどに余弦波、正弦波用のアドレスをそれぞれ５８、０にセットした例について示した。この例以外にも、リセットするアドレスをそれぞれＸｃ、Ｘｓとして、Ｘｓが１７４以下のときはＸｃをＸｃ＝Ｘｓ＋５８とし、Ｘｓが１７４より大きいときはＸｃをＸｃ＝Ｘｓ−１７４とすれば、前記実施例と同様の効果が得られる。
【０１６３】
また、前記実施例では色副搬送波周波数が３．５７９５ＭＨｚ、サンプリング周波数が２０．２５ＭＨｚ  の場合について説明したが、この例以外にも、色副搬送波周波数とサンプリング周波数の整数比が略Ｍ：Ｎ（Ｎは４の倍数）となるサンプリング周波数ならば、どのようなサンプリング周波数であっても、前記実施例と同様に式（６）からアドレスｙを０からＮ／２−１まで１ずつ順に変えて求めたｆｓ（ｙ）の値をＮ／２個ＲＯＭに記憶し、リセットするアドレスをＸｃ、Ｘｓとして、Ｘｓが（３／４）Ｎ以下のときはＸｃをＸｃ＝Ｘｓ＋Ｎ／４とし、Ｘｓが（３／４）Ｎより大きいときはＸｃをＸｃ＝Ｘｓ−（３／４）Ｎとし、余弦波、正弦波用のアドレスをそれぞれ１づつ変化させて作成するように構成すれば、前記実施例と同様の効果が得られる。
【０１６４】
実施例３２．
前記実施２４〜３１で例は余弦波の１／２周期の点で線対称の特性を利用してＲＯＭの容量を半分にした例について示した。ここで、余弦波の１／４周期、３／４周期の点で点対称となる特性がある。この特性を利用してＲＯＭの容量を１／４にした例について、その構成を示す図１５を用いて説明する。図１５において、６４は余弦波用のアドレスを作成するアドレス作成手段、６５は余弦波用のアドレスを正弦波用のアドレスに変換するｓｉｎアドレス変換手段、６６はスイッチ３８により余弦波用と正弦波用のアドレスが交互に多重されたアドレスを読み出しアドレスに変換するアドレス変換手段、６７はスイッチ３８からの余弦波用、正弦波用のアドレスを多重した出力に基づいて反転制御信号を出力する反転制御手段、６８はアドレス作成手段６４とｓｉｎアドレス変換手段６５とスイッチ３８とアドレス変換手段６６と反転制御手段６７から構成された読み出しアドレス作成手段、６９は余弦波１周期を２３２等分した各値の内前半の５８個を記憶したＲＯＭである。ここで、前記実施例と同一の符号は同一または対応する部材を示す。
【０１６５】
次に動作について説明する。アドレス作成手段６４は前記実施例１２と同様にしてサンプリング周波数に従って４１づつ増加する余弦波用のアドレスＣａを作成する。ｓｉｎアドレス変換手段６５では、アドレスＣａが５８（＝Ｎ／４）より小さいときは１７４（＝３Ｎ／４）にアドレスＣａを減算した値を正弦波用のアドレスＳａとして出力し、５８以上のときはアドレスＣａから５８を減算した値を正弦波用のアドレスＳａとして出力する。スイッチ３８ではサンプリング周波数の倍の周波数で余弦波用のアドレスと正弦波用のアドレスを切り替え、余弦波用と正弦波用のアドレスを交互に多重したアドレスを出力する。アドレス変換手段６５ではスイッチ３８からのアドレスが５８以下のときはそのまま読み出しアドレスとして出力し、５８（＝Ｎ／４）より大きく１１６（＝Ｎ／２）以下のときは１１６からアドレスを減算した値を読み出しアドレスとして出力し、１１６より大きく１７４（＝３Ｎ／４）以下のときはアドレスから１１６を減算した値を読み出しアドレスとして出力し、１７４より大きいときは２３２からアドレスを減算した値を読み出しアドレスとして出力する。
【０１６６】
反転制御手段６７ではスイッチ３８からの余弦波用のアドレスが５８以上１７４以下のときは正負反転手段２１に正負の反転を指示し、それ以外の場合にはそのまま出力するように指示するｃｏｓ用反転制御信号を出力し、正弦波用のアドレスが１１６以上のときは正負反転手段２２に正負の反転を指示し、それ以外の場合にはそのまま出力するように指示するｓｉｎ用反転制御信号を出力する。ＲＯＭ６９からアドレス変換手段６６で変換した読み出しアドレスに基づいて色副搬送波周波数の余弦波の値と正弦波の値を交互に読み出す。スイッチ４０ではスイッチ３８の切り替えと同期してＲＯＭ６９からの余弦波と正弦波の値を振り分ける。余弦波の値は正負反転手段２１でｃｏｓ用反転制御信号に従って正負を反転する。また、正弦波の値も正負反転手段２２でｓｉｎ用反転制御信号に従って正負を反転する。積和演算器４では正負反転手段２１からの余弦波の値と入力Ｃｒ信号の値を掛算して得た値と正負反転手段２２からの正弦波の値と入力Ｃｂ信号の値を掛算して得た値とをそれぞれ求めた後、２つの積の値を足し合わせ、変調色信号を作成する。このようにカラーエンコーダを構成したので、ＲＯＭの容量を１／８にすることができる。
【０１６７】
前記実施例では色副搬送波周波数が３．５７９５ＭＨｚ、サンプリング周波数が２０．２５ＭＨｚの場合について説明したが、この例以外にも、色副搬送波周波数とサンプリング周波数の整数比が略Ｍ：Ｎ（Ｎは４の倍数）となるサンプリング周波数ならば、どのようなサンプリング周波数であっても、前記実施例と同様に余弦波１周期をＮ等分した値をＮ／４個ＲＯＭに記憶し、Ｍづつ変化する余弦波用のアドレスとそのアドレスがＮ／４より小さいときは（３／４）Ｎを加算し、Ｎ／４以上のときはＮ／４を減算して正弦波用のアドレスを作成し、サンプリング周波数の倍の周波数で交互に多重した後、Ｎ／４以下のときはそのまま読み出しアドレスとして出力し、Ｎ／４より大きくＮ／２以下のときはＮ／２から減算をした値を読み出しアドレスとして出力し、Ｎ／２より大きく（３／４）Ｎ以下のときはＮ／２を減算した値を読み出しアドレスとして出力し、（３／４）Ｎより大きいときはＮから減算した値を読み出しアドレスとして出力するように構成すれば、同様の効果が得られる。
【０１６８】
実施例３３．
前記実施例では余弦波用のアドレスから正弦波用のアドレスを作成する例について示したが、この例以外にも、余弦波用のアドレスを０から、正弦波用のアドレスを１７４からそれぞれ４１づつ増加させて作成するようにしてもよい。そのようにアドレスを作成するように構成した例を示す図１６を用いて説明する。図１６において、７０は余弦波用のアドレスを作成するｃｏｓアドレス作成手段、７１は正弦波用のアドレスを作成するｓｉｎアドレス作成手段、７２はｃｏｓアドレス作成手段７０とｓｉｎアドレス作成手段７１とスイッチ３８とアドレス変換手段６６と反転制御手段６７から構成された読み出しアドレス作成手段である。ここで、ＲＯＭ６７には前記実施例３２と同様の値を記憶する。
【０１６９】
次に動作について説明する。ｃｏｓアドレス作成手段７０は電源投入時やリセットをかけたときなどにアドレスを０にセットした後、サンプリング周波数に従って４１づつ増加する余弦波用のアドレスＣａを作成する。ｓｉｎアドレス作成手段７１も同様にしてリセット時に１７４にセットした後、サンプリング周波数に従って４１づつ増加する正弦波用のアドレスＳａを作成する。以下、前記実施例と同様にして余弦波用、正弦波用のアドレスをスイッチ３８で交互に多重して、アドレス変換手段６６で読み出しアドレスに変換する。反転制御手段６７で反転制御信号を出力する。ＲＯＭ６８からの出力をスイッチ４０で余弦波と正弦波の値に振り分け、反転制御信号に従って正負反転手段２１、２２により正負を反転し、積和演算器４で入力Ｃｒ、Ｃｂ信号と積和演算して変調色信号を作成する。このようにカラーエンコーダを構成したので、ＲＯＭの容量を１／８にすることができる。
【０１７０】
前記実施例では電源投入時やリセットをかけたときなどに余弦波、正弦波用のアドレスをそれぞれ０、１７４にセットした例について示した。この例以外にも、リセットするアドレスをそれぞれＸｃ、Ｘｓとして、Ｘｃが５８より小さいときはＸｓをＸｓ＝Ｘｃ＋１７４とし、Ｘｃが５８以上のときはＸｓをＸｓ＝Ｘｃ−５８とすれば、前記実施例と同様の効果が得られる。
【０１７１】
また、前記実施例では色副搬送波周波数が３．５７９５ＭＨｚ、サンプリング周波数が２０．２５ＭＨｚ  の場合について説明したが、この例以外にも、色副搬送波周波数とサンプリング周波数の整数比が略Ｍ：Ｎ（Ｎは４の倍数）となるサンプリング周波数ならば、どのようなサンプリング周波数であっても、前記実施例と同様に余弦波１周期をＮ等分した値をＮ／４個ＲＯＭに記憶し、リセットするアドレスをＸｃ、Ｘｓとして、ＸｃがＮ／４より小さいときはＸｓをＸｓ＝Ｘｃ＋（３／４）Ｎとし、ＸｃがＮ／４以上のときはＸｓをＸｓ＝Ｘｃ−Ｎ／４とし、余弦波、正弦波用のアドレスをそれぞれＭづつ変化させて作成するように構成すれば、前記実施例と同様の効果が得られる。
【０１７２】
実施例３４．
前記実施例３２、３３ではＲＯＭ６９に余弦波１周期をＮ等分した前半のＮ／４個を記憶した例について説明したが、この例以外にも、ＲＯＭ６９に正弦波１周期をＮ等分した前半のＮ／４個を記憶するようにしてもよい。そのときの構成を図１７に示す。図１７において、７３は正弦波用のアドレスを作成するアドレス作成手段、７４は正弦波用のアドレスから余弦波用のアドレスに変換するｃｏｓアドレス変換手段、７５はアドレス作成手段７３とｃｏｓアドレス変換手段７４とスイッチ３８とアドレス変換手段６６と反転制御手段６７から構成された読み出しアドレス作成手段である。また、正弦波１周期を２３２等分した前半の５８個をＲＯＭ６９に記憶する。
【０１７３】
次に動作について説明する。アドレス作成手段７３は前記実施例１４と同様にしてサンプリング周波数に従って４１づつ増加する正弦波用のアドレスＳａを作成する。ｃｏｓアドレス変換手段７４では、正弦波用のアドレスＳａが１７４以下のときはアドレスＳａに５８を加算した値を余弦波用のアドレスＣａとして出力し、１７４より大きいときはアドレスＳａから１７４を減算した値を余弦波用のアドレスＣａとして出力する。以下、前記実施例３２と同様にして余弦波用、正弦波用のアドレスをスイッチ３８で交互に多重して、アドレス変換手段６６で読み出しアドレスに変換する。反転制御手段６７で反転制御信号を出力する。ＲＯＭ６９からの出力をスイッチ４０で余弦波と正弦波の値に振り分け、反転制御信号に従って正負反転手段２１、２２により正負を反転し、積和演算器４で入力Ｃｒ、Ｃｂ信号と積和演算して変調色信号を作成する。このようにカラーエンコーダを構成したので、ＲＯＭの容量を１／８にすることができる。
【０１７４】
前記実施例では色副搬送波周波数が３．５７９５ＭＨｚ、サンプリング周波数が２０．２５ＭＨｚ  の場合について説明したが、この例以外にも、色副搬送波周波数とサンプリング周波数の整数比が略Ｍ：Ｎ（Ｎは４の倍数）となるサンプリング周波数ならば、どのようなサンプリング周波数であっても、前記実施例と同様に正弦波１周期をＮ等分した値をＮ／４個ＲＯＭに記憶し、Ｍづつ変化する正弦波用のアドレスとそのアドレスが（３／４）Ｎ以下のときはＮ／４を加算し、（３／４）Ｎより大きいときは（３／４）Ｎを減算して余弦波用のアドレスを作成し、サンプリング周波数の倍の周波数で交互に多重した後、Ｎ／４以下のときはそのまま読み出しアドレスとして出力し、Ｎ／４より大きくＮ／２以下のときはＮ／２から減算をした値を読み出しアドレスとして出力し、Ｎ／２より大きく（３／４）Ｎ以下のときはＮ／２を減算した値を読み出しアドレスとして出力し、（３／４）Ｎより大きいときはＮから減算した値を読み出しアドレスとして出力するように構成すれば、同様の効果が得られる。
【０１７５】
実施例３５．
前記実施例では正弦波用のアドレスから余弦波用のアドレスを作成する例について示したが、この例以外にも、正弦波用のアドレスを０から、余弦波用のアドレスを５８からそれぞれ４１づつ増加させて作成するようにしてもよい。そのようにアドレスを作成するように構成した図１６を用いて動作を説明する。ｃｏｓアドレス作成手段７０は電源投入時やリセットをかけたときなどにアドレスを５８にセットした後、サンプリング周波数に従って４１づつ増加する余弦波用のアドレスＣａを作成する。ｓｉｎアドレス作成手段７１も同様にしてリセット時に０にセットした後、サンプリング周波数に従って４１づつ増加する正弦波用のアドレスＳａを作成する。以下、前記実施例３３と同様にして余弦波用、正弦波用のアドレスをスイッチ３８で交互に多重して、アドレス変換手段６６で読み出しアドレスに変換する。反転制御手段６７で反転制御信号を出力する。ＲＯＭ６９からの出力をスイッチ４０で余弦波と正弦波の値に振り分け、反転制御信号に従って正負反転手段２１、２２により正負を反転し、積和演算器４で入力Ｃｒ、Ｃｂ信号と積和演算して変調色信号を作成する。このようにカラーエンコーダを構成したので、ＲＯＭの容量を１／８にすることができる。
【０１７６】
前記実施例では電源投入時やリセットをかけたときなどに余弦波、正弦波用のアドレスをそれぞれ５８、０にセットした例について示した。この例以外にも、リセットするアドレスをそれぞれＸｃ、Ｘｓとして、Ｘｓが１７４以下のときはＸｃをＸｃ＝Ｘｓ＋５８とし、Ｘｓが１７４より大きいときはＸｃをＸｃ＝Ｘｓ−１７４とすれば、前記実施例と同様の効果が得られる。
【０１７７】
また、前記実施例では色副搬送波周波数が３．５７９５ＭＨｚ、サンプリング周波数が２０．２５ＭＨｚ  の場合について説明したが、この例以外にも、色副搬送波周波数とサンプリング周波数の整数比が略Ｍ：Ｎ（Ｎは４の倍数）となるサンプリング周波数ならば、どのようなサンプリング周波数であっても、前記実施例と同様に正弦波１周期をＮ等分した値をＮ／４個ＲＯＭに記憶し、リセットするアドレスをＸｃ、Ｘｓとして、Ｘｓが（３／４）Ｎ以下のときはＸｃをＸｃ＝Ｘｓ＋Ｎ／４とし、Ｘｓが（３／４）Ｎより大きいときはＸｃをＸｃ＝Ｘｓ−（３／４）Ｎとし、、余弦波、正弦波用のアドレスをそれぞれＭづつ変化させて作成するように構成すれば、前記実施例と同様の効果が得られる。
【０１７８】
実施例３６．
前記実施例３２から３５では余弦波または正弦波１周期を２３２等分した前半の５８個（＝Ｎ／４個）をＲＯＭ６９に記憶し４０おきに読み出した例について説明した。この例以外にも、前記実施例１６で求めた余弦波のＲＯＭテーブルの前半５８個のみを利用するようにしても同様の効果が得られる。図１５に示す構成を用いて動作を説明する。アドレス作成手段６４は０から２３１まで１ずつ順に増加する余弦波用のアドレスＣａを作成する。ｓｉｎアドレス変換手段６５では、アドレスＣａが５８（＝Ｎ／４）より小さいときは１７４（＝３Ｎ／４）にアドレスＣａを加算した値を正弦波用のアドレスＳａとして出力し、５８以上のときはアドレスＣａから５８を減算した値を正弦波用のアドレスＳａとして出力する。スイッチ３８ではサンプリング周波数の倍の周波数で余弦波用のアドレスと正弦波用のアドレスを切り替え、余弦波用と正弦波用のアドレスを交互に多重したアドレスを出力する。
【０１７９】
アドレス変換手段６６ではスイッチ３８からのアドレスが５８（＝Ｎ／４）以下のときはそのまま読み出しアドレスとして出力し、５８より大きく１１６（＝Ｎ／２）以下のときは１１６からアドレスを減算した値を読み出しアドレスとして出力し、１１６より大きく１７４（＝３Ｎ／４）以下のときはアドレスから１１６を減算した値を読み出しアドレスとして出力し、１７４より大きいときは２３２からアドレスを減算した値を読み出しアドレスとして出力する。
【０１８０】
反転制御手段６７ではスイッチ３８からの余弦波用のアドレスが５８以上１７４以下のときは正負反転手段２１に正負の反転を指示し、それ以外の場合にはそのまま出力するように指示するｃｏｓ用反転制御信号を出力し、正弦波用のアドレスが１１６以上のときは正負反転手段２２に正負の反転を指示し、それ以外の場合にはそのまま出力するように指示するｓｉｎ用反転制御信号を出力する。ＲＯＭ６９からアドレス変換手段６６で変換した読み出しアドレスに基づいて色副搬送波周波数の余弦波の値と正弦波の値を交互に読み出す。スイッチ４０ではスイッチ３８の切り替えと同期してＲＯＭ６９からの余弦波と正弦波の値を振り分ける。余弦波の値は正負反転手段２１でｃｏｓ用反転制御信号に従って正負を反転する。また、正弦波の値も正負反転手段２２でｓｉｎ用反転制御信号に従って正負を反転する。積和演算器４では正負反転手段２１からの余弦波の値と入力Ｃｒ信号の値を掛算して得た値と正負反転手段２２からの正弦波の値と入力Ｃｂ信号の値を掛算して得た値とをそれぞれ求めた後、２つの積の値を足し合わせ、変調色信号を作成する。このようにカラーエンコーダを構成したので、ＲＯＭの容量を１／８にすることができる。また、アドレスを１づつ増加するようにしたので、前記実施例３２、３３に比べてアドレス作成手段の構成を簡単にすることができる。
【０１８１】
前記実施例では色副搬送波周波数が３．５７９５ＭＨｚ、サンプリング周波数が２０．２５ＭＨｚ  の場合について説明したが、この例以外にも、色副搬送波周波数とサンプリング周波数の整数比が略Ｍ：Ｎ（Ｎは４の倍数）となるサンプリング周波数ならば、どのようなサンプリング周波数であっても前記実施例と同様に式（５）からアドレスｙを０からＮ／４−１まで１ずつ順に変えてｆｃ（ｙ）を求めてＲＯＭに記憶し、０からＮ−１まで１づつ変化する余弦波用のアドレスとそのアドレスが（３／４）Ｎ以下のときはＮ／４を加算し、（３／４）Ｎより大きいときは（３／４）Ｎを減算して正弦波用のアドレスを作成し、サンプリング周波数の倍の周波数で交互に多重した後、Ｎ／４以下のときはそのまま読み出しアドレスとして出力し、Ｎ／４より大きくＮ／２以下のときはＮ／２から減算をした値を読み出しアドレスとして出力し、Ｎ／２より大きく（３／４）Ｎ以下のときはＮ／２を減算した値を読み出しアドレスとして出力し、（３／４）Ｎより大きいときはＮから減算した値を読み出しアドレスとして出力するように構成すれば、同様の効果が得られる。
【０１８２】
実施例３７．
前記実施例では余弦波用のアドレスから正弦波用のアドレスを作成する例について示したが、この例以外にも、余弦波用のアドレスを０から、正弦波用のアドレスを１７４からそれぞれ１づつ増加させて作成するようにしてもよい。そのようにアドレスを作成するように構成した例を示す図１６を用いて動作を説明する。ｃｏｓアドレス作成手段７０は電源投入時やリセットをかけたときなどにアドレスを０にセットした後、サンプリング周波数に従って１づつ増加する余弦波用のアドレスＣａを作成する。ｓｉｎアドレス作成手段７１も同様にしてリセット時に１７４にセットした後、サンプリング周波数に従って１づつ増加する正弦波用のアドレスＳａを作成する。以下、前記実施例と同様にして余弦波用、正弦波用のアドレスをスイッチ３８で交互に多重して、アドレス変換手段６６で読み出しアドレスに変換する。反転制御手段６７で反転制御信号を出力する。ＲＯＭ６９からの出力をスイッチ４０で余弦波と正弦波の値に振り分け、反転制御信号に従って正負反転手段２１、２２により正負を反転し、積和演算器４で入力Ｃｒ、Ｃｂ信号と積和演算して変調色信号を作成する。このようにカラーエンコーダを構成したので、ＲＯＭの容量を１／８にすることができる。また、アドレスを１づつ増加するようにしたので、前記実施例３４、３５に比べてアドレス作成手段の構成を簡単にすることができる。
【０１８３】
前記実施例では電源投入時やリセットをかけたときなどに余弦波、正弦波用のアドレスをそれぞれ０、１７４にセットした例について示した。この例以外にも、リセットするアドレスをそれぞれＸｃ、Ｘｓとして、Ｘｃが５８より小さいときはＸｓをＸｓ＝Ｘｃ＋１７４とし、Ｘｃが５８以上のときはＸｓをＸｓ＝Ｘｃ−５８とすれば、前記実施例と同様の効果が得られる。
【０１８４】
また、前記実施例では色副搬送波周波数が３．５７９５ＭＨｚ、サンプリング周波数が２０．２５ＭＨｚ  の場合について説明したが、この例以外にも、色副搬送波周波数とサンプリング周波数の整数比が略Ｍ：Ｎ（Ｎは４の倍数）となるサンプリング周波数ならば、どのようなサンプリング周波数であっても、前記実施例と同様に式（５）からアドレスｙを０からＮ／４−１まで１ずつ順に変えて求めたｆｃ（ｙ）の値をＮ／４個ＲＯＭに記憶し、リセットするアドレスをＸｃ、Ｘｓとして、ＸｃがＮ／４より小さいときはＸｓをＸｓ＝Ｘｃ＋（３／４）Ｎとし、ＸｃがＮ／４以上のときはＸｓをＸｓ＝Ｘｃ−Ｎ／４とし、余弦波、正弦波用のアドレスをそれぞれ１づつ変化させて作成するように構成すれば、前記実施例と同様の効果が得られる。
【０１８５】
実施例３８．
前記実施例３６、３７ではＲＯＭ６７に、前記実施例１６で求めた余弦波のＲＯＭテーブルの前半５８個のみを記憶するようにした例について説明した。この例以外にも、前記実施例１８で求めた正弦波のＲＯＭテーブルの前半５８個のみを利用するようにしても同様の効果が得られる。図１７に示す構成を用いて動作を説明する。アドレス作成手段７３は０から２３１まで１ずつ順に増加する正弦波用のアドレスＳａを作成する。ｃｏｓアドレス変換手段７４では、アドレスＳａが１７４以下のときはアドレスＳａに５８を加算した値を余弦波用のアドレスＣａとして出力し、１７４より大きいときはアドレスＳａから１７４を減算した値を余弦波用Ｃａのアドレスとして出力する。スイッチ３８ではサンプリング周波数の倍の周波数で余弦波用のアドレスと正弦波用のアドレスを切り替え、余弦波用と正弦波用のアドレスを交互に多重したアドレスを出力する。アドレス変換手段６６ではスイッチ３８からのアドレスが５８以下のときはそのまま読み出しアドレスとして出力し、５８より大きく１１６以下のときは１１６からアドレスを減算した値を読み出しアドレスとして出力し、１１６より大きく１７４以下のときはアドレスから１１６を減算した値を読み出しアドレスとして出力し、１７４より大きいときは２３２からアドレスを減算した値を読み出しアドレスとして出力する。
【０１８６】
反転制御手段６７ではスイッチ３８からの余弦波用のアドレスが５８以上１７４以下のときは正負反転手段２１に正負の反転を指示し、それ以外の場合にはそのまま出力するように指示するｃｏｓ用反転制御信号を出力し、正弦波用のアドレスが１１６以上のときは正負反転手段２２に正負の反転を指示し、それ以外の場合にはそのまま出力するように指示するｓｉｎ用反転制御信号を出力する。ＲＯＭ６９からアドレス変換手段６６で変換した読み出しアドレスに基づいて色副搬送波周波数の余弦波の値と正弦波の値を交互に読み出す。スイッチ４０ではスイッチ３８の切り替えと同期してＲＯＭ６９からの余弦波と正弦波の値を振り分ける。余弦波の値は正負反転手段２１でｃｏｓ用反転制御信号に従って正負を反転する。また、正弦波の値も正負反転手段２２でｓｉｎ用反転制御信号に従って正負を反転する。積和演算器４では正負反転手段２１からの余弦波の値と入力Ｃｒ信号の値を掛算して得た値と正負反転手段２２からの正弦波の値と入力Ｃｂ信号の値を掛算して得た値とをそれぞれ求めた後、２つの積の値を足し合わせ、変調色信号を作成する。このようにカラーエンコーダを構成したので、ＲＯＭの容量を１／８にすることができる。また、アドレスを１づつ増加するようにしたので、前記実施例３４、３５に比べてアドレス作成手段の構成を簡単にすることができる。
【０１８７】
前記実施例では色副搬送波周波数が３．５７９５ＭＨｚ、サンプリング周波数が２０．２５ＭＨｚ  の場合について説明したが、この例以外にも、色副搬送波周波数とサンプリング周波数の整数比が略Ｍ：Ｎ（Ｎは４の倍数）となるサンプリング周波数ならば、どのようなサンプリング周波数であっても前記実施例と同様に式（６）からアドレスｙを０からＮ／４−１まで１ずつ順に変えてｆｓ（ｙ）を求めてＲＯＭに記憶し、０からＮ−１まで１づつ変化する正弦波用のアドレスとそのアドレスが（３／４）Ｎ以下のときはＮ／４を加算し、（３／４）Ｎより大きいときは（３／４）Ｎを減算して正弦波用のアドレスを作成し、サンプリング周波数の倍の周波数で交互に多重した後、Ｎ／４以下のときはそのまま読み出しアドレスとして出力し、Ｎ／４より大きくＮ／２以下のときはＮ／２から減算をした値を読み出しアドレスとして出力し、Ｎ／２より大きく（３／４）Ｎ以下のときはＮ／２を減算した値を読み出しアドレスとして出力し、（３／４）Ｎより大きいときはＮから減算した値を読み出しアドレスとして出力するように構成すれば、同様の効果が得られる。
【０１８８】
実施例３９．
前記実施例では正弦波用のアドレスから余弦波用のアドレスを作成する例について示したが、この例以外にも、正弦波用のアドレスを０から、余弦波用のアドレスを５８からそれぞれ１づつ増加させて作成するようにしてもよい。そのようにアドレスを作成するように構成した例を示す図１６を用いて動作を説明する。ｃｏｓアドレス作成手段７０は電源投入時やリセットをかけたときなどにアドレスを５８にセットした後、サンプリング周波数に従って１づつ増加する余弦波用のアドレスＣａを作成する。ｓｉｎアドレス作成手段７１も同様にしてリセット時に０にセットした後、サンプリング周波数に従って１づつ増加する正弦波用のアドレスＳａを作成する。以下、前記実施例と同様にして余弦波用、正弦波用のアドレスをスイッチ３８で交互に多重して、アドレス変換手段６６で読み出しアドレスに変換する。反転制御手段６７で反転制御信号を出力する。ＲＯＭ６９からの出力をスイッチ４０で余弦波と正弦波の値に振り分け、反転制御信号に従って正負反転手段２１、２２により正負を反転し、積和演算器４で入力Ｃｒ、Ｃｂ信号と積和演算して変調色信号を作成する。このようにカラーエンコーダを構成したので、ＲＯＭの容量を１／８にすることができる。また、アドレスを１づつ増加するようにしたので、前記実施例３４、３５に比べてアドレス作成手段の構成を簡単にすることができる。
【０１８９】
前記実施例では電源投入時やリセットをかけたときなどに余弦波、正弦波用のアドレスをそれぞれ５８、０にセットした例について示した。この例以外にも、リセットするアドレスをそれぞれＸｃ、Ｘｓとして、Ｘｓが１７４以下のときはＸｃをＸｃ＝Ｘｓ＋５８とし、Ｘｓが１７４より大きいときはＸｃをＸｃ＝Ｘｓ−１７４とすれば、前記実施例と同様の効果が得られる。
【０１９０】
また、前記実施例では色副搬送波周波数が３．５７９５ＭＨｚ、サンプリング周波数が２０．２５ＭＨｚ  の場合について説明したが、この例以外にも、色副搬送波周波数とサンプリング周波数の整数比が略Ｍ：Ｎ（Ｎは４の倍数）となるサンプリング周波数ならば、どのようなサンプリング周波数であっても、前記実施例と同様に式（６）からアドレスｙを０からＮ／４−１まで１ずつ順に変えて求めたｆｓ（ｙ）の値をＮ／４個ＲＯＭに記憶し、リセットするアドレスをＸｃ、Ｘｓとして、Ｘｓが（３／４）Ｎ以下のときはＸｃをＸｃ＝Ｘｓ＋Ｎ／４とし、Ｘｓが（３／４）Ｎより大きいときはＸｃをＸｃ＝Ｘｓ−（３／４）Ｎとし、余弦波、正弦波用のアドレスをそれぞれ１づつ変化させて作成するように構成すれば、前記実施例と同様の効果が得られる。
【０１９１】
実施例４０．
前記実施例で示したカラーエンコーダにおいて、４フィールド毎に第１ラインの同期信号と色副搬送波の位相との関係がある特定の値、例えば０°となるように制御したカラーエンコーダを図１８に示す。図１８において、７６はＲＯＭの読み出しアドレスを作成する読み出しアドレス作成手段、７７は水平同期信号（Ｈｓｙｎｃ）とフレームパルス（ＦＲＰ）から読み出しアドレスをリセットする信号を作成するリセット信号作成手段である。ここで、ｃｏｓ用ＲＯＭ１、ｓｉｎ用ＲＯＭ２には実施例１で示した値を記憶する。
【０１９２】
次に動作について説明する。リセット信号作成手段７７はＨｓｙｎｃとＦＲＰに基づいて４フィールド周期で１サンプリング期間だけＬレベルとなるリセット信号を作成する。読み出しアドレス作成手段７６ではリセット信号がＬレベルのときは読み出しアドレスを０にセットし、Ｈレベルのときは３５づつ増加する読み出しアドレスを作成する。以下、前記実施例と同様にして読み出しアドレスに基づいてｃｏｓ用ＲＯＭ１から余弦波の値をｓｉｎ用ＲＯＭ２から正弦波の値を読み出し、積和演算器４で入力Ｃｒ、Ｃｂ信号と積和演算して変調色信号を得る。このようにカラーエンコーダを構成したので、４フィールド毎に同期信号と色副搬送波の位相が０°となった変調色信号を作成することができる。
【０１９３】
前記実施例では４フィールド周期で読み出しアドレスをリセットする場合について説明したが、２ライン周期で読み出しアドレスをリセットするようにリセット信号を作成してもよい。例えば、２ライン周期で１サンプリング期間だけＬレベルとなるようにリセット信号を作成する。また、ＨｓｙｎｃとＦＲＰを用いてリセット信号を作成する例について示したが、他の信号、例えばラインの始まりを示す信号とライン番号を用いてリセット信号を作成してもよい。
【０１９４】
また、このリセットのタイミングを外部から制御可能に構成することによって色副搬送波の位相を外部から自由に制御することが可能となる。この場合、外部で信号の切り替えをした際に本機能で位相の連続性を取るようにしておけば、安定して色信号のスイッチングが可能となる効果がある。
【０１９５】
実施例４１．
前記実施例４０では実施例１で示した構成を同期信号と色副搬送波の位相を０°に合わせるようにした例を示した。この例以外にも、他の実施例で示した構成も４フィールドまたは２ライン周期で読み出しアドレスをリセットするようにすれば、同様の効果が得られる。以下、実施例１３で示した構成を同期信号と色副搬送波の位相を０°に合わせるようにした例を図１９に示す。図１９において、７７はＨｓｙｎｃとＦＲＰからアドレスをリセットする信号を作成するリセット信号作成手段、７８は余弦波用のアドレスを作成するｃｏｓアドレス作成手段、７９は正弦波用のアドレスを作成するｓｉｎアドレス作成手段、８０はｃｏｓアドレス作成手段７８とｓｉｎアドレス作成手段７９から構成された読み出しアドレス作成手段である。ここで、ＲＯＭ３９には前記実施例１３と同様の値を記憶する。
【０１９６】
次に動作について説明する。リセット信号作成手段７７はＨｓｙｎｃとＦＲＰに基づいて４フィールド周期で１サンプリング・クロックだけＬレベルとなるリセット信号を作成する。ｃｏｓアドレス作成手段７８ではリセット信号がＬレベルのときは余弦波用のアドレスを０にセットし、Ｈレベルのときは４１づつ増加する余弦波用のアドレスを作成する。ｓｉｎアドレス作成手段７９ではリセット信号がＬレベルのときは正弦波用のアドレスを１７４にセットし、Ｈレベルのときは４１づつ増加する正弦波用のアドレスを作成する。以下、前記実施例１３と同様にして余弦波用、正弦波用のアドレスをスイッチ３８で交互に多重して、ＲＯＭ３９の読み出しアドレスとする。ＲＯＭ３９からの出力はスイッチ４０で余弦波と正弦波の値に振り分け、積和演算器４で入力Ｃｒ、Ｃｂ信号と積和演算して変調色信号を作成する。このようにカラーエンコーダを構成したので、前記実施例３８と同様の効果が得られる。
【０１９７】
前記実施例では４フィールド周期で余弦波用、正弦波用のアドレスをそれぞれ０、１７４にセットする場合について説明したが、２ライン周期で余弦波用、正弦波用のアドレスをセットするようにリセット信号を２ライン周期で１サンプリング・クロックだけＬレベルとなるように作成すれば同様の効果が得られる。
【０１９８】
なお、前記全実施例では正弦波、余弦波を求める手段として、ＲＯＭを用いる例について示したが、この例に限るものではなく、同様の動作を果たす論理回路、データ・セレクタ等によっても構成は可能であり、前記実施例と同様の効果を奏することは明白である。
【０１９９】
【発明の効果】
請求項１の発明では色差信号の色副搬送波周波数とサンプリング周波数の整数比が略ｍ：ｎのとき、余弦関数および正弦関数１周期をｎ等分した値をそれぞれ記憶した記憶手段から余弦関数および正弦関数を読み出し、２つの色差信号と積和演算をし変調色信号を得るように構成したので、サンプリング周波数が色副搬送波周波数の整数倍でない場合でも変調色信号を得ることができる。
【０２００】
さらに、ｘを０からｎ−１までに対応するｃｏｓ（（２ｍπ／ｎ）ｘ）とｓｉｎ（（２ｍπ／ｎ）ｘ）の値を記憶した記憶手段から、０からｎ−１まで１ずつ増加する読み出しアドレスにより読み出すように構成したので、読み出しアドレスを作成する構成を簡単にすることができる。
【０２０１】
請求項２の発明では余弦関数および正弦関数１周期をｎ等分した値の内ｎ／２＋１個（ｎが偶数のとき）、（ｎ−１）／２＋１個（ｎが奇数のとき）の値をそれぞれ記憶した記憶手段から余弦関数および正弦関数を読み出し、２つの色差信号と積和演算をし変調色信号を得るように構成したので、記憶する容量を１／２にすることができる。
【０２０２】
さらに、ｘを０からｎ／２（ｎが偶数のとき）、（ｎ−１）／２（ｎが奇数のとき）までに対応するｃｏｓ（（２ｍπ／ｎ）ｘ）とｓｉｎ（（２ｍπ／ｎ）ｘ）の値を記憶した記憶手段から０からｎ／２（ｎが偶数のとき）、（ｎ−１）／２（ｎが奇数のとき）まで１ずつ増加し、ｎ／２（ｎが偶数のとき）、（ｎ−１）／２（ｎが奇数のとき）になると１ずつ減少する読み出しアドレスにより読み出すように構成したので、読み出しアドレスを作成する構成を簡単にすることができる。
【０２０３】
請求項３の発明では余弦関数および正弦関数１周期をｎ等分した値の内ｎ／２個の値をそれぞれ記憶した記憶手段から余弦関数および正弦関数を読み出し、２つの色差信号と積和演算をし変調色信号を得るように構成したので、記憶する容量を１／２にすることができる。
【０２０４】
さらに、ｘを０からｎ／２−１までに対応するｃｏｓ（（２ｍπ／ｎ）ｘ）とｓｉｎ（（２ｍπ／ｎ）ｘ）の値を記憶した記憶手段から０からｎ／２−１まで１ずつ増加する読み出しアドレスにより読み出すように構成したので、読み出しアドレスを作成する構成を簡単にすることができる。
【０２０５】
請求項４の発明では余弦関数および正弦関数１周期をｎ等分した値の内ｉｎｔ（ｎ／４）個の値をそれぞれ記憶した記憶手段から余弦関数および正弦関数を読み出し、２つの色差信号と積和演算をし変調色信号を得るように構成したので、記憶する容量を１／４にすることができる。
【０２０６】
さらに、ｘを０からｉｎｔ（ｎ／４）−１までに対応するｃｏｓ（（２ｍπ／ｎ）ｘ）とｓｉｎ（（２ｍπ／ｎ）ｘ）の値を記憶した記憶手段から０からｉｎｔ（ｎ／４）まで１ずつ順に増加し、ｉｎｔ（ｎ／４）になると１ずつ順に減少する読み出しアドレスにより読み出すように構成したので、読み出しアドレスを作成する構成を簡単にすることができる。
【０２０７】
請求項５の発明では余弦関数または正弦関数１周期をｎ等分した値を記憶した記憶手段から余弦関数用と正弦関数用のアドレスを多重した読み出しアドレスにより余弦関数と正弦関数の値を交互に読み出し、２つの色差信号と積和演算をし変調色信号を得るように構成したので、記憶する容量を１／２にすることができる。
【０２０８】
さらに、ｘを０からｎ−１までに対応するｃｏｓ（（２ｍπ／ｎ）ｘ）の値を記憶した記憶手段から０からｎ−１まで１ずつ順に増加する読み出しアドレスにより読み出すように構成したので、読み出しアドレスを作成する構成を簡単にすることができる。
【０２１０】
請求項６の発明では余弦関数または正弦関数１周期をｎ等分した値の内ｎ／２＋１個を記憶した記憶した記憶手段から余弦関数用と正弦関数用のアドレスを多重した読み出しアドレスにより余弦関数と正弦関数の値を交互に読み出し、２つの色差信号と積和演算をし変調色信号を得るように構成したので、記憶する容量を１／４にすることができる。
【０２１１】
さらに、ｘを０からｎ／２までに対応するｃｏｓ（（２ｍπ／ｎ）ｘ）の値を記憶した記憶手段から０からｎ／２まで１ずつ順に増加し、ｎ／２になると１ずつ順に減少する読み出しアドレスにより読み出すように構成したので、読み出しアドレスを作成する構成を簡単にすることができる。
【０２１２】
請求項７の発明では余弦関数または正弦関数１周期をｎ等分した値の内ｎ／２個を記憶した記憶した記憶手段から余弦関数用と正弦関数用のアドレスを多重した読み出しアドレスにより余弦関数と正弦関数の値を交互に読み出し、２つの色差信号と積和演算をし変調色信号を得るように構成したので、記憶する容量を１／４にすることができる。
【０２１４】
さらに、ｘを０からｎ／２−１までに対応するｓｉｎ（（２ｍπ／ｎ）ｘ）の値を記憶した記憶手段から０からｎ／２−１までに１ずつ順に増加する読み出しアドレスにより読み出すように構成したので、読み出しアドレスを作成する構成を簡単にすることができる。
【０２１５】
請求項８の発明では余弦関数または正弦関数１周期をｎ等分した値の内ｎ／４個を記憶した記憶手段から余弦関数用と正弦関数用のアドレスを多重した読み出しアドレスにより余弦関数と正弦関数の値を交互に読み出し、２つの色差信号と積和演算をし変調色信号を得るように構成したので、記憶する容量を１／８にすることができる。
【０２１６】
さらに、ｘを０からｎ／４−１までに対応するｃｏｓ（（２ｍπ／ｎ）ｘ）の値を記憶した記憶手段から０からｎ／４−１までに１ずつ順に増加し、ｎ／４−１になると１ずつ順に減少する読み出しアドレスにより読み出すように構成したので、読み出しアドレスを作成する構成を簡単にすることができる。
【０２１７】
請求項９の発明では余弦関数または正弦関数１周期をｎ等分した値の内ｎ／４個を記憶した記憶手段から余弦関数用と正弦関数用のアドレスを多重した読み出しアドレスにより余弦関数と正弦関数の値を交互に読み出し、２つの色差信号と積和演算をし変調色信号を得るように構成したので、記憶する容量を１／８にすることができる。
さらに、ｘを０からｎ／４−１までに対応するｓｉｎ（（２ｍπ／ｎ）ｘ）の値を記憶した記憶手段から０からｎ／４−１までに１ずつ順に増加し、ｎ／４−１になると１ずつ順に減少する読み出しアドレスにより読み出すように構成したので、読み出しアドレスを作成する構成を簡単にすることができる。
【０２１８】
請求項１０の発明では同期信号に基づいて例えば４フィールドまたは２ライン周期のリセット信号を作成し、このリセット信号に従って読み出しアドレスをリセットするように構成したので、同期信号と色副搬送波の位相が合った変調色信号を作成することができる。
【図面の簡単な説明】
【図１】実施例１および２のカラーエンコーダの構成を示すブロック図である。
【図２】実施例３および４のカラーエンコーダの構成を示すブロック図である。
【図３】実施例５のカラーエンコーダの構成を示すブロック図である。
【図４】実施例６および７のカラーエンコーダの構成を示すブロック図である。
【図５】実施例８のカラーエンコーダの構成を示すブロック図である。
【図６】実施例９および１０のカラーエンコーダの構成を示すブロック図である。
【図７】実施例１１のカラーエンコーダの構成を示すブロック図である。
【図８】実施例１２、１４、１６および１８のカラーエンコーダの構成を示すブロック図である。
【図９】実施例１３、１５、１７および１９のカラーエンコーダの構成を示すブロック図である。
【図１０】実施例２０および２２のカラーエンコーダの構成を示すブロック図である。
【図１１】実施例２１および２３のカラーエンコーダの構成を示すブロック図である。
【図１２】実施例２４および２８のカラーエンコーダの構成を示すブロック図である。
【図１３】実施例２５、２７、２９および３１のカラーエンコーダの構成を示すブロック図である。
【図１４】実施例２６および３０のカラーエンコーダの構成を示すブロック図である。
【図１５】実施例３２および３６のカラーエンコーダの構成を示すブロック図である。
【図１６】実施例３３、３７および３９のカラーエンコーダの構成を示すブロック図である。
【図１７】実施例３４および３８のカラーエンコーダの構成を示すブロック図である。
【図１８】実施例４０のカラーエンコーダの構成を示すブロック図である。
【図１９】実施例４１のカラーエンコーダの構成を示すブロック図である。
【図２０】従来のカラーエンコーダの構成を示すブロック図である。
【図２１】従来のカラーエンコーダの動作を説明するための図である。
【符号の説明】
４：積和演算器、１、５、１９、３０：ｃｏｓ用ＲＯＭ、  ２、６、２０、３１：ｓｉｎ用ＲＯＭ、  １１、２０、２１：正負反転手段、  ３８、４０：スイッチ、  ７、１２、１５、２３、２６、３５、４４、５２、６１、６４、７３：アドレス作成手段、  ６２、７４：ｃｏｓアドレス変換手段、  ４５、５３、６５：ｓｉｎアドレス変換手段、  ８、１６、３６、４６、５４、６６：アドレス変換手段、  ９、１３、１７、２４、３３、５５、６７：反転制御手段、  ３９、４８、５７、６９：ＲＯＭ、  ４１、４９、５８、７０：ｃｏｓアドレス作成手段、  ４２、５０、５９、７１：ｓｉｎアドレス作成手段、  ３、１０、１４、１８、３４、３７、４３、４７、５１、５６、６０、６３、６８、７２、７５：読み出しアドレス作成手段
【図１】
0003611362.tif 000019
【図２】
0003611362.tif 000020
【図３】
0003611362.tif 000021
【図４】
0003611362.tif 000022
【図５】
0003611362.tif 000023
【図６】
0003611362.tif 000024
【図７】
0003611362.tif 000025
【図８】
0003611362.tif 000026
【図９】
0003611362.tif 000027
【図１０】
0003611362.tif 000028
【図１１】
0003611362.tif 000029
【図１２】
0003611362.tif 000030
【図１３】
0003611362.tif 000031
【図１４】
0003611362.tif 000032
【図１５】
0003611362.tif 000033
【図１６】
0003611362.tif 000034
【図１７】
0003611362.tif 000035
【図１８】
0003611362.tif 000036
【図１９】
0003611362.tif 000037
【図２０】
0003611362.tif 000038
【図２１】
0003611362.tif 000039